(57)【要約】【課題】従来のサーバでは、利用者がＬＯＧ映像の概要把握や細部確認を行おうとしても、ダウンロードの負荷が大きく、容易には行えなかった。【解決手段】ＬＯＧ映像を用いて取得された映像であり、ＬＯＧ映像より低画質の映像であるプロキシ映像が格納されるプロキシ映像格納部と、ＬＯＧ映像から抽出された１または２以上の静止画であるオリジナル静止画群が格納されるオリジナル静止画群格納部と、プロキシ映像を利用者の端末である利用者端末に送信するプロキシ映像送信部と、オリジナル静止画群を利用者端末に送信するオリジナル静止画群送信部とを具備するサーバ装置により、ダウンロードの負荷を軽減しながら、利用者が、プロキシ映像を用いたＬＯＧ映像の概要把握と、オリジナル静止画群を用いたＬＯＧ映像の細部確認とを行える。【選択図】図２
2018148475.tif 000002
【特許請求の範囲】
【請求項１】
ＬＯＧ映像を用いて取得された映像であり、ＬＯＧ映像より低画質の映像であるプロキシ映像が格納されるプロキシ映像格納部と、
前記ＬＯＧ映像から抽出された１または２以上の静止画であるオリジナル静止画群が格納されるオリジナル静止画群格納部と、
前記プロキシ映像を利用者の端末である利用者端末に送信するプロキシ映像送信部と、
前記オリジナル静止画群を前記利用者端末に送信するオリジナル静止画群送信部とを具備するサーバ装置。
【請求項２】
前記ＬＯＧ映像に対応するＬＵＴファイルが格納されるＬＵＴファイル格納部と、
前記ＬＵＴファイルを前記利用者端末に送信するＬＵＴファイル送信部とをさらに具備する請求項１記載のサーバ装置。
【請求項３】
前記プロキシ映像の一地点の指定を受け付ける受付部をさらに具備し、
前記オリジナル静止画群送信部は、
前記オリジナル静止画群のうち前記一地点に予め決められた条件を満たすほど近いオリジナル静止画を送信する請求項１または２記載のサーバ装置。
【請求項４】
前記プロキシ映像を提供者の端末である提供者端末から受信するプロキシ映像受信部と、
前記オリジナル静止画群を前記提供者端末から受信するオリジナル静止画群受信部とをさらに具備する請求項１から請求項３いずれか一項に記載のサーバ装置。
【請求項５】
前記ＬＯＧ映像を前記提供者端末から受信するＬＯＧ映像受信部をさらに具備する請求項１から請求項４いずれか一項に記載のサーバ装置。
【請求項６】
前記ＬＯＧ映像の購入の指示であるＬＯＧ映像購入指示を前記利用者端末から受信するＬＯＧ映像購入指示受信部と、
前記ＬＯＧ映像購入指示に応じて前記ＬＯＧ映像の購入のための処理を行うＬＯＧ映像購入処理部とをさらに具備する請求項１から請求項５いずれか一項に記載のサーバ装置。
【請求項７】
前記ＬＵＴファイルの購入の指示であるＬＵＴファイル購入指示を受信するＬＵＴファイル購入指示受信部と、
前記ＬＵＴファイル購入指示に応じて前記ＬＵＴファイルの購入のための処理を行うＬＵＴファイル購入処理部とをさらに具備する請求項２から請求項６いずれか一項に記載のサーバ装置。
【請求項８】
前記ＬＯＧ映像購入指示受信部は、
前記ＬＯＧ映像の一部分の購入の指示である部分購入指示を受信し、
前記ＬＯＧ映像購入処理部は、
前記部分購入指示に応じて前記一部分の購入のための処理を行う請求項６記載のサーバ装置。
【請求項９】
前記購入のための処理は、
利用者または提供者の少なくとも一方に対する課金処理を含む、請求項６から請求項８いずれか一項に記載のサーバ装置。
【請求項１０】
記録媒体は、
ＬＯＧ映像を用いて取得された映像であり、ＬＯＧ映像より低画質の映像であるプロキシ映像が格納されるプロキシ映像格納部と、
前記ＬＯＧ映像から抽出された１または２以上の静止画であるオリジナル静止画群が格納されるオリジナル静止画群格納部とを具備し、
プロキシ映像送信部、およびオリジナル静止画群送信部によって実現される映像管理方法であって、
前記プロキシ映像送信部が、前記プロキシ映像を利用者の端末である利用者端末に送信するプロキシ映像送信ステップと、
前記オリジナル静止画群送信部が、前記オリジナル静止画群を前記利用者端末に送信するオリジナル静止画群送信ステップとを含む映像管理方法。
【請求項１１】
コンピュータがアクセス可能な記録媒体は、
ＬＯＧ映像を用いて取得された映像であり、ＬＯＧ映像より低画質の映像であるプロキシ映像が格納されるプロキシ映像格納部と、
前記ＬＯＧ映像から抽出された１または２以上の静止画であるオリジナル静止画群が格納されるオリジナル静止画群格納部とを具備し、
前記コンピュータを、
前記プロキシ映像を利用者の端末である利用者端末に送信するプロキシ映像送信部と、
前記オリジナル静止画群を前記利用者端末に送信するオリジナル静止画群送信部として機能させるためのプログラム。
【発明の詳細な説明】
【技術分野】
【０００１】
本発明は、映像を管理するサーバ装置等に関するものである。
【背景技術】
【０００２】
従来、販売者から通信回線を介してアップロードされたデジタルコンテンツを記憶する記憶手段と、購入者に対し通信回線を介して該デジタルコンテンツを販売する販売手段とを有するプラットフォームを構築し、販売者から該プラットフォームにアップロードされ記憶されているデジタルコンテンツを、購入者が通信回線を利用してプラットフォームに接続し購入することが出来る取引システムが存在した（例えば、特許文献１参照）。
【０００３】
また、近年、ＬＯＧと呼ばれる形式で撮影を行えるカメラが提供されている（例えば、非特許文献１参照）。このカメラで撮影された映像は、露光量を対数化したＬｏｇ  Ｅｘｐｏｓｕｒｅに比例した特性を持っている。
【先行技術文献】
【特許文献】
【０００４】
【特許文献１】特開２００７−７２９１２号公報
【非特許文献】
【０００５】
【非特許文献１】“ＣＡＮＯＮ ＬＯＧ”、［平成２９年２月２７日検索］、インターネット［online］、［http://cweb.canon.jp/cinema-eos/special/canon-log/index.html］
【発明の概要】
【発明が解決しようとする課題】
【０００６】
例えば、上記カメラで撮影されたＬＯＧ映像も、上記取引システムによる取引の対象となり得る。しかし、ＬＯＧ映像はデータ量が大きいため、上記取引システムが有するような従来のサーバでは、利用者がＬＯＧ映像の概要の把握や細部の確認を行おうとしても、ダウンロードの負荷が大きく、容易には行えなかった。
【課題を解決するための手段】
【０００７】
本第一の発明のサーバ装置は、ＬＯＧ映像を用いて取得された映像であり、ＬＯＧ映像より低画質の映像であるプロキシ映像が格納されるプロキシ映像格納部と、ＬＯＧ映像から抽出された１または２以上の静止画であるオリジナル静止画群が格納されるオリジナル静止画群格納部と、プロキシ映像を利用者の端末である利用者端末に送信するプロキシ映像送信部と、オリジナル静止画群を利用者端末に送信するオリジナル静止画群送信部とを具備するサーバ装置である。
【０００８】
かかる構成により、ダウンロードの負荷を軽減しながら、利用者が、プロキシ映像を用いたＬＯＧ映像の概要把握と、オリジナル静止画群を用いたＬＯＧ映像の細部確認とを行える。
【０００９】
また、本第二の発明のサーバ装置は、第一の発明に対して、ＬＯＧ映像に対応するＬＵＴファイルが格納されるＬＵＴファイル格納部と、ＬＵＴファイルを利用者端末に送信するＬＵＴファイル送信部とをさらに具備するサーバ装置である。
【００１０】
かかる構成により、利用者端末において、ＬＯＧ映像に対応するＬＵＴファイルを用いたリニア映像への変換が行えるので、ＬＯＧ映像の概要把握および詳細確認を本来の色彩で行える。
【００１１】
また、本第三の発明のサーバ装置は、第一または二の発明に対して、プロキシ映像の一地点の指定を受け付ける受付部をさらに具備し、オリジナル静止画群送信部は、オリジナル静止画群のうち一地点に予め決められた条件を満たすほど近いオリジナル静止画を送信するサーバ装置である。
【００１２】
かかる構成により、利用者が、プロキシ映像中の所望の地点に対応する又はそれに近いオリジナル静止画を用いて細部確認を行える。
【００１３】
また、本第四の発明のサーバ装置は、第一から第三いずれか１つの発明に対して、プロキシ映像を提供者の端末である提供者端末から受信するプロキシ映像受信部と、オリジナル静止画群を提供者端末から受信するオリジナル静止画群受信部とをさらに具備するサーバ装置である。
【００１４】
かかる構成により、利用者が、提供者端末から受信したプロキシ映像および静止画群を用いて、ＬＯＧ映像の概要把握および詳細確認を行える。
【００１５】
また、本第五の発明のサーバ装置は、第一から第四いずれか１つの発明に対して、ＬＯＧ映像を提供者端末から受信するＬＯＧ映像受信部をさらに具備するサーバ装置である。
【００１６】
かかる構成により、利用者が、提供者端末から受信したＬＯＧ映像を利用できる。
【００１７】
また、本第六の発明のサーバ装置は、第一から第五いずれか１つの発明に対して、ＬＯＧ映像の購入の指示であるＬＯＧ映像購入指示を利用者端末から受信するＬＯＧ映像購入指示受信部と、ＬＯＧ映像購入指示に応じてＬＯＧ映像の購入のための処理を行うＬＯＧ映像購入処理部とをさらに具備するサーバ装置である。
【００１８】
かかる構成により、利用者が、ＬＯＧ映像を購入できる。
【００１９】
また、本第七の発明のサーバ装置は、第二から第六いずれか１つの発明に対して、ＬＵＴファイルの購入の指示であるＬＵＴファイル購入指示を受信するＬＵＴファイル購入指示受信部と、ＬＵＴファイル購入指示に応じてＬＵＴファイルの購入のための処理を行うＬＵＴファイル購入処理部とをさらに具備するサーバ装置である。
【００２０】
かかる構成により、利用者が、ＬＵＴファイルも購入できる。
【００２１】
また、本第八の発明のサーバ装置は、第六の発明に対して、ＬＯＧ映像購入指示受信部は、ＬＯＧ映像の一部分の購入の指示である部分購入指示を受信し、ＬＯＧ映像購入処理部は、部分購入指示に応じて一部分の購入のための処理を行うサーバ装置である。
【００２２】
かかる構成により、利用者が、ＬＯＧ映像の一部分を購入できる。
【００２３】
また、本第九の発明のサーバ装置は、第六から第八いずれか１つの発明に対して、購入のための処理は、利用者または提供者の少なくとも一方に対する課金処理を含む、サーバ装置である。
【００２４】
かかる構成により、提供者または利用者の少なくとも一方に課金できる。
【発明の効果】
【００２５】
本発明によれば、ダウンロードの負荷を軽減しながら、利用者が、プロキシ映像を用いたＬＯＧ映像の概要把握と、オリジナル静止画群を用いたＬＯＧ映像の細部確認とを行える。
【図面の簡単な説明】
【００２６】
【図１】実施の形態における映像管理システムの概念図
【図２】同サーバ装置のブロック図
【図３】同サーバ装置の動作を説明するフローチャート
【図４】同利用者端末の動作を説明するフローチャート
【図５】同提供者端末の動作を説明するフローチャート
【図６】同プロキシ映像管理情報のデータ構造図
【図７】同オリジナル静止画群管理情報のデータ構造図
【図８】同ＬＵＴファイル管理情報のデータ構造図
【図９】同ＬＯＧ映像管理情報のデータ構造図
【図１０】同購入画面の出力例を示す図
【図１１】同アップロード画面の出力例を示す図
【図１２】同コンピュータシステムの外観図
【図１３】同コンピュータシステムの内部構成の一例を示す図
【発明を実施するための形態】
【００２７】
以下、サーバ装置等を備える映像管理システムの実施形態について図面を参照して説明する。なお、実施の形態において同じ符号を付した構成要素は同様の動作を行うので、再度の説明を省略する場合がある。
【００２８】
図１は、本実施の形態における映像管理システムの概念図である。この映像管理システムは、サーバ装置１、１または２以上の利用者端末２、および１または２以上の提供者端末３を備える。サーバ装置１は、例えば、ＬＡＮやインターネット等のネットワーク、無線または有線の通信回線などを介して、１以上の利用者端末２および１以上の提供者端末３の各々と通信可能に接続される。
【００２９】
サーバ装置１は、例えば、この映像管理システムを運営する企業や団体のサーバであり、当該企業等のオペレータによって操作され得る。
【００３０】
利用者端末２とは、ＬＯＧ映像やＬＵＴファイル等を利用する利用者の端末である。利用者端末２は、例えば、利用者の職場や自宅のＰＣでもよいし、利用者によって携帯される携帯端末（例えば、スマートフォン、タブレット端末等）でもよく、利用者が操作可能な端末であれば、そのタイプや所在は問わない。
【００３１】
提供者端末３とは、ＬＯＧ映像やＬＵＴファイル等を提供する提供者の端末である。なお、提供は、通常、ネットワーク等を介したアップロードであるが、例えば、ＤＶＤ等の記録媒体を利用した提供でもよい。提供者端末３は、例えば、提供者の職場や自宅のＰＣでもよいし、提供者によって携帯される携帯端末でもよく、提供者が操作可能な端末であれば、そのタイプや所在は問わない。
【００３２】
図２は、サーバ装置１のブロック図である。サーバ装置１は、格納部１１、受付部１２、送信部１３、受信部１４、および処理部１５を備える。格納部１１は、プロキシ映像格納部１１１、オリジナル静止画群格納部１１２、ＬＵＴファイル格納部１１３、およびＬＯＧ映像格納部１１４を備える。送信部１３は、プロキシ映像送信部１３１、オリジナル静止画群送信部１３２、ＬＵＴファイル送信部１３３、およびＬＯＧ映像送信部１３４を備える。受信部１４は、プロキシ映像受信部１４１、オリジナル静止画群受信部１４２、ＬＵＴファイル受信部１４３、ＬＯＧ映像受信部１４４、ＬＯＧ映像購入指示受信部１４５、およびＬＵＴファイル購入指示受信部１４６を備える。処理部１５は、オリジナル静止画群取得部１５１、ＬＯＧ映像購入処理部１５２、およびＬＵＴファイル購入処理部１５３を備える。
【００３３】
利用者端末２のブロック図は、図１に含まれている。利用者端末２は、利用者格納部２１、利用者受付部２２、利用者処理部２３、利用者送信部２４、利用者受信部２５、および利用者出力部２６を備える。
【００３４】
提供者端末３のブロック図は、図１に含まれている。提供者端末３は、提供者格納部３１、提供者受付部３２、提供者処理部３３、提供者送信部３４、提供者受信部３５、および提供者出力部３６を備える。
【００３５】
サーバ装置１を構成する格納部１１は、各種の情報を格納し得る。各種の情報とは、例えば、後述するプロキシ映像、後述するオリジナル静止画群、後述するＬＵＴファイル、後述するＬＯＧ映像などである。
【００３６】
また、格納部１１には、後述するプロキシ映像管理情報、後述するオリジナル静止画群管理情報、後述するＬＵＴファイル管理情報、後述するＬＯＧ映像管理情報なども格納されている。
【００３７】
プロキシ映像格納部１１１には、１または２以上のプロキシ映像が格納される。本実施の形態でいうプロキシ映像とは、ＬＯＧ映像を用いて取得された映像であり、ＬＯＧ映像よりも低画質の映像である。低画質の映像とは、例えば、データ量が少ない映像といってもよいし、ノイズを多く含む映像といってもよい。なお、ＬＯＧ映像を用いて取得された映像を、ＬＯＧ映像から抽出された映像と記す場合がある。
【００３８】
プロキシ映像は、通常、ＬＯＧ映像の各フレームから画素を間引いた低解像度の映像である。ただし、プロキシ映像は、例えば、ＬＯＧ映像を圧縮した又はその圧縮率を高めた高圧縮の映像でもよいし、ＬＯＧ映像からフレームを間引いた低フレームレートの映像でもよく、そのタイプは問わない。
【００３９】
ＬＯＧ映像とは、例えば、その階調特性が対数曲線に沿うような映像であると定義してもよい。これに対して、その階調特性が直線に沿うような映像は、リニア映像と呼ばれる場合がある。なお、線に沿うことは、１以上の階調値の集合である階調値群が、線上に並ぶことでもよいし、線の近傍に配列されることでもよい。
【００４０】
階調特性とは、入力値に対する階調値の変化の特性を示す情報である。階調特性は、通常、入力光量をパラメータとする関数で表現されるが、例えば、入力光量と階調値との対の集合で表現されてもよく、その表現方法は問わない。
【００４１】
ＬＯＧ映像の階調特性を表現する関数（以下、単に関数と記す場合がある）は、例えば、対数関数であるが、対数関数を含む関数、または対数関数を近似する関数などでもよい。関数は、入力光量が大きくなるほど、その一定の増分に対する階調値の増分の比率が減少していくような関数であることは好適であるが、その種類は問わない。このように、本実施の形態のＬＯＧ映像は、例えば、対数関数で表現される階調特性を持った映像であるが、所定の関数で表現される階調特性を持った映像であればよく、広く解する。
【００４２】
ＬＯＧ映像を表示する場合、そのままディスプレイに出力したのでは、本来の色彩は得られず、通常、彩度を欠いたグレーっぽい表示になる。そのため、ＬＯＧ映像は、通常、ＬＵＴ(Lookup table)ファイルを用いて、リニア映像に変換された後、ディスプレイに出力される。
【００４３】
本実施形態でいうＬＵＴファイルとは、ＬＯＧ映像の階調値をリニア映像の階調値に変換するための情報である。ＬＵＴファイルは、通常、ＬＯＧ映像の階調値とリニア映像の階調値との対の集合で構成されたテーブルである。ただし、ＬＵＴファイルは、例えば、ＬＯＧ映像の階調値をパラメータとする関数、またはこれと同等のフィルタなどで表現されてもよく、その表現方法は問わない。ＬＵＴファイルを表現する関数は、通常、ＬＯＧ映像の階調特性を示す上記関数の逆関数である。従って、上記関数が対数関数であれば、ＬＵＴファイルを表現する関数は、指数関数となる。
【００４４】
ＬＯＧ映像の階調特性を示す関数は、一般に、ＬＯＧ映像を撮影するカメラによって異なり、また、撮影時の設定によって変化する場合もあるため、ＬＯＧ映像の階調特性は、通常、そのＬＯＧ映像に固有の特性である。
【００４５】
従って、ＬＯＧ映像は、通常、そのＬＯＧ映像に対応するＬＵＴファイルの適用を受けた後、ディスプレイに出力される。対応するＬＵＴファイルとは、例えば、そのＬＯＧ映像に専用のＬＵＴファイルが好適である。専用のＬＵＴファイルとは、そのＬＯＧ映像に固有の階調特性に適合するＬＵＴファイルであり、その固有の階調特性をリニアな階調特性に変換して、本来の色彩を再現し得るＬＵＴファイルである。専用のＬＵＴファイルは、例えば、その固有の階調特性を示す関数の逆関数で表現され得るＬＵＴファイルであってもよい。
【００４６】
ただし、対応するＬＵＴファイルとは、例えば、そのＬＯＧ映像を含む２以上のＬＯＧ映像の階調特性に概ね適合する汎用のＬＵＴファイルでもよい。または、対応するＬＵＴファイルとは、例えば、そのＬＯＧ映像と階調特性が類似する他のＬＯＧ映像用のＬＵＴファイルでもよい。いずれの場合も、ＬＯＧ映像のグレーっぽい表示を、本来の色彩に近づけることはできる。
【００４７】
ＬＵＴファイルの適用を受けることは、通常、ＬＯＧ映像の階調値に対応するリニア映像の階調値が、一のフレームを構成する２以上の画素ごとに、ＬＵＴファイルのテーブルから読み出されること、または、ＬＵＴファイルの関数によって算出されることである。
【００４８】
ＬＯＧ映像から抽出されたプロキシ映像もまた、ＬＯＧ映像と同じ階調特性を有するため、ＬＯＧ映像に対応するＬＵＴファイルの適用を受けた後、ディスプレイの出力されることが好適である。
【００４９】
プロキシ映像には、通常、プロキシ映像識別子、提供者識別子、およびＬＯＧ映像識別子が対応付いている。プロキシ映像識別子とは、当該プロキシ映像を識別する情報である。プロキシ映像識別子は、例えば、ＩＤであるが、プロキシ映像を識別し得る情報であれば何でもよい。
【００５０】
提供者識別子とは、一般に、各種の映像やファイル等の情報の提供者を識別する情報である。ここでの提供者識別子は、当該プロキシ映像の提供者を識別する情報である。提供者識別子は、例えば、メールアドレス、ＩＤなどであるが、提供者を識別し得る情報であれば何でもよい。なお、ＩＤは、例えば、１，２，３等の数字、ａ，ｂ，Ｘ，Ｙ等のアルファベット、各種の記号、またはそれらの組み合わせなどであるが、その表現形式は問わない（以下同様）。
【００５１】
ＬＯＧ映像識別子とは、ＬＯＧ映像を識別する情報である。ＬＯＧ映像識別子は、例えば、ＩＤであるが、ＬＯＧ映像を識別し得る情報であれば何でもよい。なお、以下では、プロキシ情報に対応付いている上記のような情報を、プロキシ映像管理情報と総称する場合がある。
【００５２】
なお、プロキシ映像へのＬＵＴファイルの適用は、例えば、後述するプロキシ映像送信部１３１によって行われてもよいし、後述する利用者端末２の利用者出力部２６によって行われてもよく、ディスプレイ等への出力の前であれば、その適用タイミングは問わない。
【００５３】
また、プロキシ映像は、例えば、後述するプロキシ映像受信部１４１によって提供者端末３から受信され、プロキシ映像格納部１１１に蓄積されてもよいし、予めプロキシ映像格納部１１１に格納されていてもよい。
【００５４】
オリジナル静止画群格納部１１２には、１または２以上のオリジナル静止画群が格納される。オリジナル静止画群とは、一のＬＯＧ映像から抽出された１または２以上の静止画の集合である。オリジナル静止画群は、動画像であるＬＯＧ映像を構成する一連のフレームから、例えば、５秒に１枚、３００フレームに１枚といった予め決められた周期で選択される、または不定期に選択される、１以上のフレームの集合でもよい。または、オリジナル静止画群は、ＬＯＧ映像に含まれる２以上の各シーンから選択された１以上の画像でもよいし、ユーザの選択による１以上のフレームの集合でもよく、その構成や抽出方法は問わない。例えば、後述するオリジナル静止画群取得部１５１が、ＬＯＧ映像を構成する一連の各フレームについて、その直前のフレームとの間で画像の変化量を検出し、検出した変化量が閾値以上または閾値よりも大きくなったフレームを取得する動作を繰り返すことで、ＬＯＧ映像から１以上のフレームを取得することも可能である。
【００５５】
オリジナル静止画群は、通常、ＬＯＧ映像と同じ解像度を有する。同じ解像度とは、オリジナル静止画群を構成する各画像の画素数が、ＬＯＧ映像を構成する各フレームの画素数と一致すること、または一致すると見なし得るほど近いことである。ただし、両者の解像度は、必ずしも同じでなくてよい。
【００５６】
ＬＯＧ映像から抽出されたオリジナル静止画群もまた、ＬＯＧ映像と同じ階調特性を有するため、ＬＯＧ映像に対応するＬＵＴファイルの適用を受けた後、ディスプレイの出力されることが好適である。
【００５７】
オリジナル静止画群には、通常、オリジナル静止画群識別子、提供者識別子、ＬＯＧ映像識別子、およびフレーム識別子群が対応付いている。オリジナル静止画群識別子とは、当該オリジナル静止画群を識別する情報である。オリジナル静止画群識別子は、例えば、ＩＤであるが、オリジナル静止画群を識別し得る情報であれば何でもよい。ここでの提供者識別子は、当該オリジナル静止画群の提供者を識別する情報である。フレーム識別子群とは、オリジナル静止画群を構成する１以上の各フレームを識別するフレーム識別子の集合である。フレーム識別子は、例えば、フレーム番号、タイムスタンプなどであるが、その種類は問わない。なお、以下では、オリジナル静止画群に対応付いている上記のような情報を、オリジナル静止画群管理情報と総称する場合がある。
【００５８】
なお、オリジナル静止画群の抽出は、通常、後述する提供者端末３の提供者処理部３３によって行われるが、例えば、後述するオリジナル静止画群送信部１３２によって行われてもよい。
【００５９】
また、オリジナル静止画群は、例えば、後述するオリジナル静止画群受信部１４２によって提供者端末３から受信され、オリジナル静止画群格納部１１２に蓄積されてもよいし、予めオリジナル静止画群格納部１１２に格納されていてもよい。
【００６０】
ＬＵＴファイル格納部１１３には、１または２以上のＬＵＴファイルが格納される。ＬＵＴファイル格納部１１３に格納されている１以上の各ＬＵＴファイルは、例えば、後述するＬＯＧ映像格納部１１４に格納されている１以上のＬＯＧ映像の少なくとも１つに対応するＬＵＴファイルであることは好適である。１以上のＬＯＧ映像の少なくとも１つに対応するＬＵＴファイルとは、一のＬＯＧ映像に専用のＬＵＴファイルであることは好適であるが、汎用的なＬＵＴファイルでもよいし、階調特性が類似する他のＬＯＧ映像用のＬＵＴファイルでもよい。
【００６１】
ＬＵＴファイルには、通常、ＬＵＴファイル識別子、提供者識別子、価格情報が対応付いている。ＬＵＴファイル識別子とは、当該ＬＵＴファイルを識別する情報である。ＬＵＴファイル識別子は、例えば、ＩＤであるが、ＬＵＴファイルを識別し得る情報であれば何でもよい。また、ここでの提供者識別子は、当該ＬＵＴファイルの提供者を識別する情報である。
【００６２】
価格情報とは、一般に、情報の価格に関する情報である。本実施例の価格情報は、例えば、ＬＯＧ映像またはＬＵＴファイルの価格、ＬＯＧ映像の情報の単位データ量当たりの価格などを含み得るが、その内容は問わない。なお、単位データ量とは、例えば、１ＭＢ、１ＧＢ等であるが、これに限らない。ここでの価格情報は、当該ＬＵＴファイルの価格を示す情報である。
【００６３】
また、ＬＵＴファイルには、例えば、当該ＬＵＴファイルが、一のＬＯＧ映像の専用のＬＵＴファイルである場合、そのＬＯＧ映像を識別するＬＯＧ映像識別子がさらに対応付いていることは好適である。また、ＬＵＴファイルには、例えば、当該ＬＵＴファイルが汎用のＬＵＴファイルである場合に、その旨を示す情報が対応付いていてもよい。
【００６４】
また、以下では、ＬＵＴファイルに対応付いている上記のような情報を、ＬＵＴファイル管理情報と総称する場合がある。
【００６５】
なお、ＬＵＴファイルは、例えば、後述するＬＵＴファイル受信部１４３によって提供者端末３から受信され、ＬＵＴファイル格納部１１３に蓄積されてもよいし、予めＬＵＴファイル格納部１１３に格納されていてもよい。ただし、ＬＵＴファイルは、例えば、利用者端末２から受信されてもよいし、ＤＶＤ等の記録媒体から読み出されてもよく、その由来は問わない。
【００６６】
ＬＯＧ映像格納部１１４には、１また２以上のＬＯＧ映像が格納される。１以上の各ＬＯＧ映像は、通常、固有の階調特性を有する。ＬＯＧ映像は、ＬＵＴファイル格納部１１３に格納されている１以上のＬＵＴファイルのうち、当該ＬＯＧ映像に対応するＬＵＴファイルの適用を受けた後、ディスプレイに出力されることは好適である。適用されるＬＵＴファイルは、当該ＬＯＧ映像に専用のＬＵＴファイルであることは、より好適である。
【００６７】
ＬＯＧ映像には、通常、ＬＯＧ映像識別子、提供者識別子、および価格情報が対応付いている。ここでの提供者識別子は、当該ＬＯＧ映像の提供者を識別する情報である。また、ここでの価格情報は、ＬＯＧ映像の価格に関する情報である。価格情報は、例えば、当該ＬＯＧ映像の価格、当該ＬＯＧ映像を構成する２以上の各部分の価格、当該ＬＯＧ映像の単位データ量当たりの価格などを含んでいてもよい。
【００６８】
また、ＬＯＧ映像には、例えば、当該ＬＯＧ映像に専用のＬＵＴファイルを識別するＬＵＴファイル識別子がさらに対応付いていることは好適である。
【００６９】
以下では、ＬＯＧ映像に対応付いている上記のような情報を、ＬＯＧ映像管理情報と総称する場合がある。
【００７０】
なお、ＬＯＧ映像へのＬＵＴファイルの適用は、例えば、後述するＬＯＧ映像送信部１３４によって行われてもよいし、後述する利用者出力部２６によって行われてもよい。
【００７１】
また、ＬＯＧ映像は、例えば、後述するＬＯＧ映像受信部１４４によって提供者端末３から受信され、ＬＯＧ映像格納部１１４に蓄積されてもよいし、予めＬＯＧ映像格納部１１４に格納されていてもよい。
【００７２】
受付部１２は、各種の情報を受け付け得る。各種の情報とは、例えば、サーバ装置１に対する各種の要求、プロキシ映像の一地点の指定などである。各種の要求とは、例えば、プロキシ映像の送信要求、オリジナル静止画群の送信要求などである。
【００７３】
受付部１２は、かかる要求等の情報を、通常、ネットワーク等を介して利用者端末２から受信するが、例えば、キーボード等の入力デバイスを介して、サーバ装置１のオペレータから受け付けても構わない。また、受付部１２は、他の情報を、例えば、提供者端末３や、図示しない他のサーバ等から受信してもよいし、ＤＶＤ等の記録媒体から読み出しても構わない。
【００７４】
受付部１２は、プロキシ映像の一地点の指定を受け付ける。一地点とは、例えば、プロキシ映像を構成する一連のフレームを時間軸上に配置した場合における、その時間軸上の一の時刻でもよいし、一連のフレームのうち一のフレームであってもよい。指定とは、例えば、図示しない出力部が、かかる時間軸をディスプレイに表示した状態で、オペレータがその時間軸上の一点をマウス等で指定する操作であってもよい。または、指定とは、例えば、プロキシ映像の再生中またはコマ送り中に、オペレータによって行われる特定の操作であってもよい。特定の操作は、例えば、一時停止ボタンの押下、決定ボタンへのタッチ等であるが、これに限らない。または、指定とは、例えば、一のフレームのフレーム番号またはタイムスタンプ等を示す数値の入力でもよい。なお、これらのことは、後述する利用者受付部２２が、プロキシ映像の一地点の指定を利用者から受け付ける場合にも当てはまる。
【００７５】
受付部１２は、例えば、地点情報を、ネットワーク等を介して利用者端末２から受信してもよい。地点情報とは、プロキシ映像の、利用者により指定された一地点を示す情報である。なお、利用者による一地点の指定方法は、上述したオペレータによる一地点の指定方法と同じでよい。また、オペレータによって指定された一地点を示す情報も、地点情報と呼んで構わない。地点情報は、位置情報でもよいし、時間情報でもよい。位置情報とは、プロキシ映像内での位置に関する情報であり、例えば、プロキシ映像を構成する一連のフレームのうち一のフレームを示す情報でもよい。一のフレームを示す情報とは、例えば、フレーム番号やタイムスタンプなどのフレーム識別子であるが、これに限らない。時間情報とは、プロキシ映像を再生する際の時間に関する情報であり、例えば、プロキシ映像の再生開始からの経過時間を示す情報でもよい。地点情報は、通常、プロキシ映像識別子を有するが、ＬＯＧ映像識別子を有していてもよい。
【００７６】
ただし、受付部１２は、例えば、図示しない出力部がプロキシ映像を再生中に又はコマ送り中に、サーバ装置１のオペレータによって行われる地点の指定を、キーボード等の入力デバイスを介して受け付けてもよい。
【００７７】
送信部１３は、各種の情報を送信する。各種の情報とは、例えば、プロキシ映像、オリジナル静止画群、ＬＵＴファイル、ＬＯＧ映像などである。送信部１３は、通常、プロキシ映像等の情報を、ネットワーク等を介して利用者端末２に送信する。また、送信部１３は、例えば、利用者への課金に関する課金情報を利用者端末２に送信してもよい。さらに、送信部１３は、例えば、提供者への支払いに関する支払情報を提供者端末３に送信してもよい。
【００７８】
プロキシ映像送信部１３１は、プロキシ映像を送信する。プロキシ映像送信部１３１は、通常、後述する受信部１４が利用者端末２からプロキシ映像の送信要求を受信したことに応じて、そのプロキシ映像をプロキシ映像格納部１１１から取得し、その利用者端末２に送信する。
【００７９】
また、プロキシ映像送信部１３１は、こうして取得したプロキシ映像を送信する際に、そのプロキシ映像の抽出元であるＬＯＧ画像に対応するＬＵＴファイルをＬＵＴファイル格納部１１３から取得し、取得したＬＵＴファイルをそのプロキシ映像に適用し、適用済みのプロキシ映像を送信することは好適である。ただし、プロキシ映像送信部１３１は、ＬＵＴファイルが未適用のプロキシ映像を送信してもよく、その場合、利用者端末２において、そのプロキシ映像にＬＵＴファイルが適用されることは好適である。
【００８０】
オリジナル静止画群送信部１３２は、オリジナル静止画群を送信する。オリジナル静止画群送信部１３２は、通常、後述する受信部１４が利用者端末２からのオリジナル静止画群の送信要求を受信したことに応じて、そのオリジナル静止画群をオリジナル静止画群格納部１１２から取得し、その利用者端末２に送信する。
【００８１】
また、オリジナル静止画群送信部１３２は、こうして取得したオリジナル静止画群を送信する際に、そのオリジナル静止画群の抽出元であるＬＯＧ画像に対応するＬＵＴファイルをＬＵＴファイル格納部１１３から取得し、取得したＬＵＴファイルをそのオリジナル静止画群に適用し、適用済みのオリジナル静止画群を送信することは好適である。ただし、オリジナル静止画群送信部１３２は、ＬＵＴファイルが未適用のオリジナル静止画群を送信してもよく、その場合、利用者端末２において、そのオリジナル静止画群にＬＵＴファイルが適用されることは好適である。
【００８２】
また、オリジナル静止画群送信部１３２は、例えば、受付部１２が利用者端末２から地点情報を受信したことに応じて、後述するオリジナル静止画群取得部１５１が取得したオリジナル静止画を、当該利用者端末２に送信することは好適である。
【００８３】
ＬＵＴファイル送信部１３３は、ＬＵＴファイルを送信する。ＬＵＴファイル送信部１３３は、通常、後述するＬＵＴファイル購入指示受信部１４６が利用者端末２からのＬＵＴファイルの購入指示を受信したことに応じて、そのＬＵＴファイルをＬＵＴファイル格納部１１３から取得し、その利用者端末２に送信する。なお、以下では、ＬＵＴファイルの購入指示を、ＬＵＴファイル購入指示と記す場合がある。ＬＵＴファイル購入指示については後述する。
【００８４】
ＬＵＴファイル送信部１３３は、例えば、後述するＬＯＧ映像送信部１３４がＬＯＧ映像を送信した後または送信する前に、ＬＵＴファイル購入指示受信部１４６が、利用者端末２から、そのＬＯＧ映像に専用のＬＵＴファイルの購入指示を受信したことに応じて、その専用のＬＵＴファイルをＬＵＴファイル格納部１１３から取得し、その利用者端末２に送信することは好適である。
【００８５】
ＬＯＧ映像送信部１３４は、ＬＯＧ映像を送信する。ＬＯＧ映像送信部１３４は、通常、後述するＬＯＧ映像購入指示受信部１４５が利用者端末２からＬＯＧ映像の購入指示を受信したことに応じて、そのＬＯＧ映像をＬＯＧ映像格納部１１４から取得し、その利用者端末２に送信する。なお、以下では、ＬＯＧ映像の購入指示を、ＬＯＧ映像購入指示と記す場合がある。ＬＯＧ映像購入指示については後述する。
【００８６】
なお、ＬＯＧ映像送信部１３４は、通常、ＬＯＧ映像格納部１１４から取得したＬＯＧ映像であり、どのＬＵＴファイルも未適用であるＬＯＧ映像を利用者端末２に送信する。ただし、ＬＯＧ映像送信部１３４は、例えば、取得したＬＯＧ映像に対応するＬＵＴファイルをＬＵＴファイル格納部１１３から取得し、取得したＬＵＴファイルをそのプロキシ映像に適用し、適用済みのＬＯＧ映像を利用者端末２に送信することも可能である。こうして適用されるＬＵＴファイルは、通常、そのＬＯＧ映像に専用のＬＵＴファイルであり、その場合、ＬＵＴファイル送信部１３３が、専用のＬＵＴファイルを利用者端末２に送信する必要はない。
【００８７】
受信部１４は、各種の情報を受信する。各種の情報とは、例えば、プロキシ映像、オリジナル静止画群、ＬＵＴファイル、ＬＯＧ映像、ＬＯＧ映像購入指示、ＬＵＴファイル購入指示などである。受信部１４は、通常、利用者端末２から、プロキシ映像送信要求、および地点情報を受信する。
【００８８】
受信部１４は、プロキシ映像等の情報を、通常、ネットワークや通信回線等を介して、提供者端末３または利用者端末２から受信する。ただし、受信部１４は、プロキシ映像等の情報を、例えば、外部のサーバ等からネットワーク等を介して受信してもよく、情報の送信元は問わない。また、受信部１４は、例えば、外部の放送装置等から放送されるＬＯＧ映像等の情報を受信してもよく、通信の媒体も問わない。
【００８９】
また、受信部１４は、プロキシ映像等の情報を、提供者端末３または利用者端末２から、通常、当該提供者端末３または当該利用者端末２を識別する端末識別子と対に受信する。端末識別子とは、例えば、利用者端末２または提供者端末３等の端末を識別する情報である。端末識別子は、例えば、当該端末に対応付いたＭＡＣアドレスやＩＰアドレス等であるが、当該ＭＡＣアドレス等に対応付いた利用者識別子または提供者識別子でもよい。利用者識別子とは、一般に、情報の利用者を識別する情報である。利用者識別子は、前述した提供者識別子と同様、例えば、メールアドレス、ＩＤ等であるが、利用者を識別し得る情報であれば種類は問わない。なお、提供者端末３または利用者端末２が１つしか存在しない場合は、端末識別子は送受信されなくてもよい。
【００９０】
さらに、これらのことは、プロキシ映像受信部１４１、ＬＯＧ映像受信部１４４、ＬＵＴファイル受信部１４３、およびオリジナル静止画群受信部１４２にも当てはまる。
【００９１】
プロキシ映像受信部１４１は、プロキシ映像を受信する。プロキシ映像受信部１４１は、プロキシ映像を、通常、提供者端末３から、当該提供者端末３を識別する端末識別子と対に受信する。なお、対に送信または受信することは、プロキシ映像が端末識別子を有する場合も含む。また、このことは、オリジナル静止画群、ＬＵＴファイル、ＬＯＧ映像などを送信または受信する場合にも当てはまる。
【００９２】
オリジナル静止画群受信部１４２は、オリジナル静止画群を受信する。オリジナル静止画群受信部１４２もまた、オリジナル静止画群を、通常、提供者端末３から端末識別子と対に受信する。
【００９３】
ＬＵＴファイル受信部１４３は、ＬＵＴファイルを受信する。ＬＵＴファイル受信部１４３もまた、ＬＵＴファイルを、通常、提供者端末３から端末識別子と対に受信する。ただし、ＬＵＴファイル受信部１４３は、ＬＵＴファイルを、例えば、利用者端末２から、当該利用者端末２を識別する端末識別子と対に受信してもよい。
【００９４】
ＬＯＧ映像受信部１４４は、ＬＯＧ映像を受信する。ＬＯＧ映像受信部１４４もまた、ＬＯＧ映像を、通常、提供者端末３から端末識別子と対に受信する。
【００９５】
ＬＯＧ映像購入指示受信部１４５は、ＬＯＧ映像購入指示を受信する。ＬＯＧ映像購入指示とは、ＬＯＧ映像の購入の指示である。
【００９６】
ＬＯＧ映像購入指示受信部１４５は、ＬＯＧ映像購入指示を、通常、利用者端末２から端末識別子と対に受信する。ＬＯＧ映像購入指示は、通常、ＬＯＧ映像識別子を有する。ただし、ＬＯＧ映像購入指示のデータ構造は問わない。
【００９７】
また、ＬＯＧ映像購入指示受信部１４５は、例えば、部分購入指示を受信してもよい。部分購入指示とは、ＬＯＧ映像の一部分の購入の指示である。部分購入指示は、通常、ＬＯＧ映像識別子、および部分識別子を有する。部分識別子とは、当該ＬＯＧ映像識別子で識別されるＬＯＧ映像が２以上の部分で構成されている場合に、そのうち一の部分を識別する情報である。部分は、例えば、チャプタであるが、ＬＯＧ映像を構成する部分であれば何でもよい。部分識別子は、例えば、チャプタ番号であるが、ＬＯＧ映像の部分を識別し得る情報であれば何でもよい。
【００９８】
または、部分購入指示は、かかる部分識別子に代えて、またはこれに加えて、例えば、始点情報または終点情報のうち一種類以上の情報を有していてもよい。始点情報とは、購入する部分の始点を示す情報である。始点情報は、例えば、フレーム番号、タイムスタンプ等であるが、始点を示し得る情報であれば何でもよい。終点情報は、購入する部分の終点を示す情報である。終点情報もまた、例えば、フレーム番号、タイムスタンプ等であるが、終点を示し得る情報であれば何でもよい。ただし、部分購入指示のデータ構造は問わない。
【００９９】
ＬＯＧ映像購入指示受信部１４５は、部分購入指示を、通常、利用者端末２から端末識別子と対に受信する。
【０１００】
ＬＵＴファイル購入指示受信部１４６は、ＬＵＴファイルの購入の指示であるＬＵＴファイル購入指示を受信する。
【０１０１】
処理部１５は、各種の処理を行う。各種の処理とは、例えば、後述するオリジナル静止画群取得部１５１、後述するＬＯＧ映像購入処理部１５２、後述するＬＵＴファイル購入処理部１５３などの処理である。各種の処理には、フローチャートで説明する各種の判別なども含まれる。
【０１０２】
また、処理部１５は、プロキシ映像受信部１４１が受信したプロキシ映像をプロキシ映像格納部１１１に蓄積する。また、処理部１５は、オリジナル静止画群受信部１４２が受信したオリジナル静止画群をオリジナル静止画群格納部１１２に蓄積する。また、処理部１５は、ＬＵＴファイル受信部１４３が受信したＬＵＴファイルをＬＵＴファイル格納部１１３に蓄積する。さらに、処理部１５は、ＬＯＧ映像受信部１４４が受信したＬＯＧ映像をＬＯＧ映像格納部１１４に蓄積する。
【０１０３】
オリジナル静止画群取得部１５１は、オリジナル静止画群を取得する。オリジナル静止画群取得部１５１は、オリジナル静止画群を、例えば、オリジナル静止画群格納部１１２から取得してもよいし、ＬＯＧ映像格納部１１４から取得しても構わない。
【０１０４】
オリジナル静止画群取得部１５１は、例えば、受付部１２がオリジナル静止画群の送信要求を受信したことに応じて、当該オリジナル静止画群をオリジナル静止画群格納部１１２から取得する。具体的には、オリジナル静止画群取得部１５１は、例えば、受付部１２がオリジナル静止画群送信要求を受信したことに応じて、当該オリジナル静止画群送信要求が有するオリジナル静止画群識別子で識別されるオリジナル静止画群をオリジナル静止画群格納部１１２から取得してもよい。
【０１０５】
または、オリジナル静止画群取得部１５１は、例えば、受付部１２がオリジナル静止画群送信要求を受信したことに応じて、当該オリジナル静止画群送信要求が有するＬＯＧファイル識別子で識別されるＬＯＧ映像をＬＯＧ映像格納部１１４から取得し、取得したＬＯＧ映像からオリジナル静止画群を抽出してもよい。
【０１０６】
また、オリジナル静止画群取得部１５１は、例えば、受付部１２が地点情報を受信したことに応じて、当該地点情報に対応するオリジナル静止画を取得してもよい。なお、この場合も、オリジナル静止画の取得先は、オリジナル静止画群格納部１１２またはＬＯＧ映像格納部１１４のいずれでもよい。また、対応するオリジナル静止画とは、当該地点情報が示す一地点に一致するオリジナル静止画でもよいし、当該一地点に近いオリジナル静止画でも構わない。
【０１０７】
具体的には、オリジナル静止画群取得部１５１は、例えば、受付部１２が地点情報を受信したことに応じて、当該地点情報が示す一地点に予め決められた条件を満たすほど近いオリジナル静止画を取得することは好適である。なお、近いことは、位置的に近いことでも、時間的に近いことでもよい。
【０１０８】
条件は、例えば、「一地点に一致するフレームがある場合は、そのフレームに対応するオリジナル静止画であること」であってもよい。また、条件は、例えば、「一地点に一致するフレームがない場合は、当該一地点に最も近いフレームに対応するオリジナル静止画であること」、または、「一地点一致するフレームがない場合は、当該一時刻よりも後のフレームであり、かつ当該一時刻に最も近いフレームに対応するオリジナル静止画であること」であってもよい。
【０１０９】
または、条件は、例えば、「オリジナル静止画群を構成する２以上のフレームのうち一地点の直前のフレームまたは直後のフレームであり、類似度が大きい方のフレームに対応するオリジナル静止画であること」であってもよい。ここでいう類似度とは、当該オリジナル静止画群の抽出元であるＬＯＧ映像を構成する一連のフレームのうち当該一地点に対応するオリジナル静止画と、上記直前のフレームまたは上記直後のフレームとの間の類似度である。
【０１１０】
オリジナル静止画群取得部１５１は、こうした１以上の条件を保持していることは好適である。
【０１１１】
ＬＯＧ映像購入処理部１５２は、ＬＯＧ映像購入処理を行う。ＬＯＧ映像購入処理部１５２は、通常、ＬＯＧ映像購入指示受信部１４５が受信したＬＯＧ映像購入指示に応じて、当該ＬＯＧ映像購入指示が有するＬＯＧ映像識別子で識別されるＬＯＧ映像の購入処理を行う。
【０１１２】
ＬＯＧ映像購入処理とは、ＬＯＧ映像の購入のための処理である。ＬＯＧ映像購入処理は、例えば、当該ＬＯＧ映像の代金の計算、利用者への当該代金の課金、提供者への当該代金の支払いなどの処理を含む。また、ＬＯＧ映像購入処理は、利用者への当該代金の課金に加えて、例えば、利用者または提供者の少なくとも一方へのシステム使用料の課金をも含むことは好適である。
【０１１３】
システム使用料とは、この映像管理システムの使用料である。この映像管理システムの使用料とは、例えば、提供者がこの映像管理システムを用いてＬＯＧ映像やＬＵＴファイル等の情報をアップロードしたこと、または、利用者がこの映像管理システムを用いてＬＯＧ映像やＬＵＴファイル等の情報を購入もしくはダウンロードしたこと、のうち１種類以上の行動に対して、提供者または利用者のうち１種類以上のユーザから、この映像管理システムを運営する企業等に支払われる料金である。
【０１１４】
システム使用料は、例えば、従量制であることが好適であるが、定額制でもよいし、両者の組み合わせでもよい。従量制とは、例えば、アップロード、ダウンロードもしくは購入された情報のデータ量の応じた料金体系でもよいし、または、アップロード、ダウンロードもしくは購入の回数に応じた料金体系でもよい。データ量の応じた料金体系は、例えば、１００ＭＢ当たり１０円、１ＧＢ当たり５０円等であってもよい。回数に応じた料金体系は、例えば、ＬＯＧ映像は１回当たり１００円、ＬＵＴファイルは１回当たり５０円、ＬＯＧ映像およびＬＵＴファイルのセットは１回当たり１２０円等でもよい。定額制とは、例えば、年会費３千円、月額５００円等でもよい。
【０１１５】
なお、格納部１１には、かかる情報を含むシステム使用料情報も格納される。
【０１１６】
詳しくは、ＬＯＧ映像購入処理部１５２は、通常、当該ＬＯＧ映像に対応付いた価格情報を用いて、当該ＬＯＧ映像の代金の計算を行う。ただし、ＬＯＧ映像購入処理部１５２は、例えば、ＬＯＧ映像識別子と価格との対の集合であるＬＯＧ映像価格情報を保持しており、このＬＯＧ映像価格情報を用いて、当該ＬＯＧ映像の代金の計算を行ってもよく、ＬＯＧ映像の代金の計算方法は問わない。
【０１１７】
また、ＬＯＧ映像購入処理部１５２は、こうして計算した代金と、ＬＯＧ映像購入指示受信部１４５がＬＯＧ映像購入指示と対に受信した利用者識別子とを用いて、当該提供者識別子で識別される提供者への当該代金の課金を行ってもよい。この課金処理は、例えば、当該代金を請求する請求情報の利用者端末２への送信、利用者端末２からのクレジットカード番号等の受信、当該クレジットカード番号等で識別されるクレジットカードによる決済などの処理を含むが、その内容は問わない。
【０１１８】
さらに、ＬＯＧ映像購入処理部１５２は、計算した代金と、当該ＬＯＧ映像に対応付いた提供者識別子とを用いて、当該提供者識別子で識別される提供者への当該代金の支払処理を行ってもよい。この支払処理は、例えば、当該代金を支払う支払情報の提供者端末３への送信、利用者端末２からの口座番号等の受信、当該口座番号で識別される口座等を用いた入金等の処理を含むが、その内容は問わない。
【０１１９】
ただし、ＬＯＧ映像購入指示とは、上記のような一のＬＯＧ映像を単位とする購入指示に限らず、例えば、前述したような、一のＬＯＧ映像の一部分を単位とする部分購入指示であってもよい。同様に、ＬＯＧ映像購入処理とは、上記のような一のＬＯＧ映像を単位とする購入処理に限らず、例えば、一のＬＯＧ映像の一部分を単位とする購入処理であってもよい。以下では、部分購入指示に応じて行われる処理であり、一のＬＯＧ映像の一部分を単位とする購入処理を、部分購入処理と呼ぶ。
【０１２０】
すなわち、ＬＯＧ映像購入処理部１５２は、例えば、ＬＯＧ映像購入指示受信部１４５が受信した部分購入指示に応じて、部分購入処理を行ってもよい。部分購入処理は、例えば、当該一部分の代金の計算、利用者への当該代金の課金、提供者への当該代金の支払などの処理を含む。部分購入処理もまた、利用者または提供者の少なくとも一方へのシステム使用料の課金を含むことは好適である。
【０１２１】
詳しくは、ＬＯＧ映像購入処理部１５２は、例えば、ＬＯＧ映像購入指示受信部１４５が受信した部分購入指示に応じて、当該部分購入指示が有するＬＯＧ映像識別子で識別されるＬＯＧ映像を構成する２以上の部分のうち、当該部分購入指示が有する部分識別子で識別される部分に対する部分購入処理を行ってもよい。または、ＬＯＧ映像購入処理部１５２は、例えば、ＬＯＧ映像購入指示受信部１４５が受信した部分購入指示に応じて、当該部分購入指示が有するＬＯＧ映像識別子で識別されるＬＯＧ映像の部分であり、当該部分購入指示が有する始点情報または終点情報のうち一種類以上の情報で示される部分に対する部分購入処理を行ってもよい。なお、ＬＯＧ映像購入処理に関する前述の各事項は、部分購入処理にも当てはまる場合がある。
【０１２２】
ＬＵＴファイル購入処理部１５３は、ＬＵＴファイル購入処理を行う。ＬＵＴファイル購入処理部１５３は、通常、ＬＵＴファイル購入指示受信部１４６が受信したＬＵＴファイル購入指示に応じて、ＬＵＴファイル購入処理を行う。
【０１２３】
ＬＵＴファイル購入処理とは、ＬＵＴファイルの購入のための処理である。ＬＵＴファイル購入処理は、例えば、当該ＬＵＴファイルの代金の計算、利用者への当該代金の課金、提供者への当該代金の支払いなどの処理を含む。ＬＵＴファイル購入処理もまた、利用者への当該代金の課金に加えて、例えば、利用者または提供者の少なくとも一方へのシステム使用料の課金をも含むことは好適である。なお、ＬＯＧ映像購入処理に関する前述の各事項は、ＬＵＴファイル購入処理にも当てはまる場合がある。
【０１２４】
利用者端末２を構成する利用者格納部２１は、各種の情報を格納し得る。各種の情報とは、例えば、当該利用者端末２を識別する端末識別子、ＬＯＧ映像、ＬＵＴファイルなどである。なお、かかる端末識別子は、前述したように、利用者識別子でもよい。
【０１２５】
利用者受付部２２は、各種の情報を受け付ける。各種の情報とは、例えば、ユーザによる各種の選択や要求や指示などである。利用者受付部２２は、各種の情報を、通常、キーボードやタッチパネル等の入力デバイスを介して受け付ける。
【０１２６】
利用者受付部２２は、例えば、ＬＯＧ映像、ＬＵＴファイル、またはそれらの組の選択を受け付ける。また、利用者受付部２２は、例えば、オリジナル静止画群の送信要求、地点情報、ＬＯＧ映像購入指示、ＬＵＴファイル購入指示なども受け付けてもよい。オリジナル静止画群の送信要求は、通常、オリジナル静止画群識別子を有するが、ＬＯＧ映像識別子を有していてもよい。地点情報は、通常、プロキシ映像識別子を有するが、ＬＯＧ映像識別子を有していてもよい。
【０１２７】
すなわち、利用者受付部２２は、例えば、プロキシ映像の一地点の指定をも受け付けてよい。なお、一地点、および一地点の指定については、前述した受付部１２の場合と同様なので繰り返さない。
【０１２８】
利用者処理部２３は、各種の処理を行う。各種の処理とは、例えば、後述する利用者受信部２５が受信したＬＯＧ映像またはＬＵＴファイルのうち１種類以上の情報を利用者格納部２１に蓄積する処理などである。また、各種の処理には、フローチャートで説明する各種の判別なども含まれる。
【０１２９】
利用者送信部２４は、各種の情報を送信する。各種の情報とは、例えば、プロキシ映像送信要求、オリジナル静止画群送信要求、地点情報、ＬＯＧ映像購入指示、ＬＵＴファイル購入指示などである。利用者送信部２４は、通常、利用者受付部２２が受け付けた各種の情報を、サーバ装置１に送信する。
【０１３０】
なお、送信されるプロキシ映像送信要求等の情報は、受信されたプロキシ映像送信要求等の情報と同一でなくてもよい。例えば、利用者送信部２４は、ＬＯＧ映像識別子とプロキシ映像識別子との対の集合である第一対応情報を保持しており、利用者受付部２２が受け付けたプロキシ映像送信要求がＬＯＧ映像識別子を有する場合に、当該ＬＯＧ映像識別子に対応するプロキシ映像識別子を有するプロキシ映像送信要求を送信してもよい。
【０１３１】
利用者受信部２５は、各種の情報を受信する。各種の情報とは、例えば、プロキシ映像、オリジナル静止画群、ＬＯＧ映像、ＬＵＴファイルなどである。利用者受信部２５は通常、利用者送信部２４がプロキシ映像の送信要求等の情報を送信したことに応じて、プロキシ映像等の情報を受信する。
【０１３２】
利用者出力部２６は、各種の情報を出力する。各種の情報とは、例えば、プロキシ映像、オリジナル静止画群などである。利用者出力部２６は、通常、利用者受信部２５がプロキシ映像等の情報を受信したことに応じて、当該プロキシ映像等の情報を出力する。なお、受信されたオリジナル静止画群が２以上のオリジナル静止画で構成される場合、利用者出力部２６は、２以上のオリジナル静止画を、例えば、コマ送りやスライドショー等の態様で出力してもよい。
【０１３３】
なお、出力されるプロキシ映像等の情報は、受信されたプロキシ映像等の情報と同一でなくてもよい。例えば、利用者出力部２６は、上記第一対応情報、およびＬＯＧ映像識別子とＬＵＴファイル識別子との対の集合である第二対応情報を保持しており、利用者受信部２５が受信したプロキシ映像がどのＬＵＴファイルも未適用である場合に、利用者格納部２１から、当該プロキシ映像に対応するＬＵＴファイルを取得し、当該プロキシ映像に当該ＬＵＴファイルを適用し、適用済みのプロキシ映像を出力することは好適である。
【０１３４】
また、利用者出力部２６は、例えば、ＬＯＧ映像の出力指示に応じて、利用者格納部２１からＬＯＧ映像およびこれに対応するＬＵＴファイルを取得し、当該ＬＯＧ映像に当該ＬＵＴファイルを適用し、適用済みのＬＯＧ映像を出力してもよい。ただし、各種の情報は、例えば、当該各種の情報の出力タイミングを示すタイミング情報に従って出力されてもよく、その出力のトリガは問わない。
【０１３５】
提供者端末３を構成する提供者格納部３１は、各種の情報を格納し得る。各種の情報とは、例えば、当該提供者端末３を識別する端末識別子、ＬＯＧ映像、ＬＵＴファイルなどである。なお、かかる端末識別子は、前述したように、提供者識別子でもよい。
【０１３６】
提供者受付部３２は、各種の情報を受け付ける。各種の情報とは、例えば、ユーザによる各種の指示などである。提供者受付部３２は、指示等の情報を、通常、キーボードやタッチパネル等の入力デバイスを介して受け付ける。
【０１３７】
提供者受付部３２は、例えば、アップロード登録指示を受け付ける。アップロード登録指示とは、ＬＯＧ映像のアップロードの登録を行うための指示である。アップロード登録指示は、通常、ＬＯＧ映像識別子を有する。なお、提供者格納部３１にＬＯＧ映像が１つしか格納されていない場合は、ＬＯＧ映像識別子はなくてもよい。
【０１３８】
また、提供者受付部３２は、例えば、ＬＵＴファイルの送信指示を受け付けてもよい。ＬＵＴファイル送信指示は、通常、ＬＵＴファイル識別子を有する。なお、提供者格納部３１にＬＵＴファイルが１つしか格納されていない場合は、ＬＵＴファイル識別子はなくてもよい。
【０１３９】
提供者処理部３３は、各種の処理を行う。各種の処理とは、例えば、ＬＯＧ映像からのプロキシ映像の抽出、ＬＯＧ映像からのオリジナル静止画群の抽出などである。また、各種の処理には、フローチャートで説明する各種の判別なども含まれる。
【０１４０】
提供者処理部３３は、例えば、提供者受付部３２がアップロード登録指示を受け付けたことに応じて、当該アップロード登録指示が有するＬＯＧ映像識別子で識別されるＬＯＧ映像から、プロキシ映像を抽出する。なお、プロキシ映像の抽出方法については、前述したので繰り返さない。
【０１４１】
また、提供者処理部３３は、例えば、提供者受付部３２がアップロード登録指示を受け付けたことに応じて、当該アップロード登録指示が有するＬＯＧ映像識別子で識別されるＬＯＧ映像から、オリジナル静止画群を抽出する。なお、オリジナル静止画群の抽出方法については、前述したので繰り返さない。
【０１４２】
提供者送信部３４は、各種の情報を送信する。各種の情報とは、例えば、プロキシ映像、オリジナル静止画群、ＬＵＴファイル、ＬＯＧ映像などである。
【０１４３】
提供者送信部３４は、例えば、提供者処理部３３が、プロキシ映像またはオリジナル静止画群を抽出したことに応じて、当該プロキシ映像または当該オリジナル静止画群をサーバ装置１に送信する。また、提供者送信部３４は、例えば、提供者受付部３２がＬＵＴファイル送信指示を受け付けたことに応じて、当該ＬＵＴファイル送信指示が有するＬＵＴファイル識別子で識別されるＬＵＴファイルをサーバ装置１に送信する。さらに、提供者送信部３４は、例えば、提供者受付部３２がアップロード登録指示を受け付けたことに応じて、当該アップロード登録指示が有するＬＯＧ映像識別子で識別されるＬＯＧ映像をサーバ装置１に送信する。
【０１４４】
ただし、提供者送信部３４は、かかるＬＯＧ映像を、例えば、その送信タイミングを示すＬＯＧ映像送信タイミング情報に従って送信することは好適である。または、提供者送信部３４は、かかるＬＯＧ映像を、例えば、２以上の部分に分割し、各部分の送信タイミングを示すＬＯＧ映像送信タイミング情報に従って、順次、送信することは、より好適である。
【０１４５】
なお、ＬＯＧ映像以外の各種の情報もまた、例えば、当該各種の情報の送信タイミングを示すタイミング情報に従って送信されてもよく、その送信のトリガは問わない。
【０１４６】
提供者受信部３５は、各種の情報を受信する。各種の情報とは、例えば、支払情報などである。提供者受信部３５は、例えば、提供者送信部３４がサーバ装置１に送信したＬＯＧ映像またはＬＵＴファイルのうち１種類以上の情報が、サーバ装置１から利用者端末２に送信され、その情報の代金が利用者に対して課金された場合に、サーバ装置１から、その代金に関する支払情報を受信してもよい。なお、支払情報は、例えば、電子メールの態様で送信されても構わない。
【０１４７】
提供者出力部３６は、各種の情報を出力する。各種の情報とは、例えば、支払情報などである。提供者出力部３６は、例えば、提供者受信部３５が支払情報を受信したことに応じて、当該支払情報を出力してもよいし、または、支払情報が受信された旨の報知を出力してもよい。後者の場合、例えば、提供者受信部３５が、受信した支払情報を保持しておき、後に、提供者受付部３２が、当該支払情報に対する出力指示を受け付けた場合に、提供者出力部３６は、保持されている支払情報を出力することは好適である。
【０１４８】
格納部１１、プロキシ映像格納部１１１、オリジナル静止画群格納部１１２、ＬＵＴファイル格納部１１３、ＬＯＧ映像格納部１１４、利用者格納部２１、および提供者格納部３１は、例えば、ハードディスクやフラッシュメモリといった不揮発性の記録媒体が好適であるが、ＲＡＭなど揮発性の記録媒体でも実現可能である。
【０１４９】
格納部１１等に情報が記憶される過程は問わない。例えば、ＤＶＤやメモリカード等の携帯型の記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【０１５０】
受付部１２、利用者受付部２２、および提供者受付部３２は、入力デバイスを含むと考えても、含まないと考えてもよい。受付部１２等は、入力デバイスのドライバーソフトによって、または入力デバイスとそのドライバーソフトとで実現され得る。
【０１５１】
送信部１３、プロキシ映像送信部１３１、オリジナル静止画群送信部１３２、ＬＵＴファイル送信部１３３、ＬＯＧ映像送信部１３４、利用者送信部２４、および提供者送信部３４は、通常、有線または無線の通信手段（例えば、ネットワークカードやモデム等の通信モジュール）で実現されるが、放送手段（例えば、放送モジュール）で実現されてもよい。
【０１５２】
受信部１４、プロキシ映像受信部１４１、オリジナル静止画群受信部１４２、ＬＵＴファイル受信部１４３、ＬＯＧ映像受信部１４４、ＬＯＧ映像購入指示受信部１４５、ＬＵＴファイル購入指示受信部１４６、利用者受信部２５、および提供者受信部３５、ならびに受付部１２の受信機能は、通常、有線または無線の通信手段で実現されるが、放送を受信する手段（例えば、放送受信モジュール）で実現されてもよい。
【０１５３】
処理部１５、オリジナル静止画群取得部１５１、ＬＯＧ映像購入処理部１５２、ＬＵＴファイル購入処理部１５３、利用者処理部２３、および提供者処理部３３は、通常、ＭＰＵやメモリ等から実現され得る。処理部１５等の処理手順は、通常、ソフトウェアで実現され、当該ソフトウェアはＲＯＭ等の記録媒体に記録されている。ただし、処理手順は、ハードウェア（専用回路）で実現してもよい。
【０１５４】
利用者出力部２６、および提供者出力部３６は、ディスプレイやスピーカー等の出力デバイスを含むと考えても含まないと考えてもよい。出力部１６等は、出力デバイスのドライバーソフトによって、または出力デバイスとそのドライバーソフトとで実現され得る。
【０１５５】
次に、映像管理システムの動作について図３〜図５のフローチャートを用いて説明する。なお、既出の事項に関する説明は、省略または簡略化している。また、各フローチャートにおける一連のステップの実行順序は、適宜、変更可能な場合がある。
【０１５６】
図３は、サーバ装置１の動作を説明するフローチャートである。
【０１５７】
（ステップＳ３０１）処理部１５は、プロキシ映像受信部１４１がプロキシ映像を受信したか否かを判別する。プロキシ映像受信部１４１は、提供者端末３から、当該提供者端末３を識別する端末識別子と対に、プロキシ映像を受信する。プロキシ映像受信部１４１がプロキシ映像を受信した場合はステップＳ３０２に進み、受信していない場合はステップＳ３０３に進む。
【０１５８】
（ステップＳ３０２）処理部１５は、プロキシ映像受信部１４１が受信したプロキシ映像をプロキシ映像格納部１１１に蓄積する。その後、ステップＳ３０１に戻る。
【０１５９】
（ステップＳ３０３）処理部１５は、オリジナル静止画群受信部１４２がオリジナル静止画群を受信したか否かを判別する。オリジナル静止画群受信部１４２は、提供者端末３から、端末識別子と対に、オリジナル静止画群を受信する。オリジナル静止画群受信部１４２がオリジナル静止画群を受信した場合はステップＳ３０４に進み、受信していない場合はステップＳ３０５に進む。
【０１６０】
（ステップＳ３０４）処理部１５は、オリジナル静止画群受信部１４２が受信したオリジナル静止画群をオリジナル静止画群格納部１１２に蓄積する。その後、ステップＳ３０１に戻る。
【０１６１】
（ステップＳ３０５）処理部１５は、ＬＵＴファイル受信部１４３がＬＵＴファイルを受信したか否かを判別する。ＬＵＴファイル受信部１４３は、通常、提供者端末３から、端末識別子と対に、ＬＵＴファイルを受信する。ＬＵＴファイル受信部１４３がＬＵＴファイルを受信した場合はステップＳ３０６に進み、受信していない場合はステップＳ３０７に進む。
【０１６２】
（ステップＳ３０６）処理部１５は、ＬＵＴファイル受信部１４３が受信したＬＵＴファイルをＬＵＴファイル格納部１１３に蓄積する。その後、ステップＳ３０１に戻る。
【０１６３】
（ステップＳ３０７）処理部１５は、ＬＯＧ映像受信部１４４がＬＯＧ映像を受信したか否かを判別する。ＬＯＧ映像受信部１４４は、提供者端末３から、端末識別子と対に、ＬＯＧ映像を受信する。ＬＯＧ映像受信部１４４がＬＯＧ映像を受信した場合はステップＳ３０８に進み、受信していない場合はステップＳ３０９に進む。
【０１６４】
（ステップＳ３０８）処理部１５は、ＬＯＧ映像受信部１４４が受信したＬＯＧ映像をＬＯＧ映像格納部１１４に蓄積する。その後、ステップＳ３０１に戻る。
【０１６５】
（ステップＳ３０９）処理部１５は、受信部１４がプロキシ映像送信要求を受信したか否かを判別する。受信部１４がプロキシ映像送信要求を受信した場合はステップＳ３１０に進み、受信していない場合はステップＳ３１１に進む。
【０１６６】
（ステップＳ３１０）プロキシ映像送信部１３１は、受信部１４が受信したプロキシ映像送信要求が有するプロキシ映像識別子で識別されるプロキシ映像をプロキシ映像格納部１１１から取得する。そして、プロキシ映像送信部１３１は、取得したプロキシ映像を、受信部１４がプロキシ映像送信要求と対に受信した端末識別子で識別される利用者端末２に送信する。
【０１６７】
なお、プロキシ映像送信部１３１は、第二対応情報を保持しており、取得したプロキシ映像を送信する際に、当該ＬＯＧ画像識別子に対応するＬＵＴファイル識別子で識別されるＬＵＴファイルをＬＵＴファイル格納部１１３から取得し、取得したＬＵＴファイルをそのプロキシ映像に適用し、適用済みのプロキシ映像を送信することは好適である。その後、ステップＳ３０１に戻る。
【０１６８】
（ステップＳ３１１）処理部１５は、受信部１４がオリジナル静止画群送信要求を受信したか否かを判別する。受信部１４がオリジナル静止画群送信要求を受信した場合はステップＳ３１２に進み、受信していない場合はステップＳ３１３に進む。
【０１６９】
（ステップＳ３１２）オリジナル静止画群送信部１３２は、受信部１４が受信したオリジナル静止画群送信要求が有するＬＯＧ映像識別子に対応するオリジナル静止画群識別子で識別されるオリジナル静止画群をオリジナル静止画群格納部１１２から取得する。そして、オリジナル静止画群送信部１３２は、取得したオリジナル静止画群を、受信部１４がオリジナル静止画群送信要求と対に受信した端末識別子で識別される利用者端末２に送信する。
【０１７０】
（ステップＳ３１３）処理部１５は、受信部１４が地点情報を受信したか否かを判別する。受信部１４が地点情報を受信した場合はステップＳ３１４に進み、受信していない場合はステップＳ３１６に進む。
【０１７１】
（ステップＳ３１４）オリジナル静止画群取得部１５１は、当該地点情報に対応するオリジナル静止画をオリジナル静止画群格納部１１２またはＬＯＧ映像格納部１１４から取得する。対応するオリジナル静止画については、前述したので繰り返さない。
【０１７２】
（ステップＳ３１５）オリジナル静止画群送信部１３２は、取得されたオリジナル静止画を当該利用者端末２に送信する。
【０１７３】
なお、オリジナル静止画群送信部１３２は、第一対応情報を保持しており、取得されたオリジナル静止画群を送信する際に、当該オリジナル静止画群識別子に対応するＬＵＴファイル識別子で識別されるＬＵＴファイルをＬＵＴファイル格納部１１３から取得し、取得したＬＵＴファイルをそのオリジナル静止画群に適用し、適用済みのオリジナル静止画群を送信することは好適である。その後、ステップＳ３０１に戻る。
【０１７４】
（ステップＳ３１６）処理部１５は、ＬＯＧ映像購入指示受信部１４５がＬＯＧ映像購入指示を受信したか否かを判別する。ＬＯＧ映像購入指示受信部１４５がＬＯＧ映像購入指示を受信した場合はステップＳ３１７に進み、受信していない場合はステップＳ３１９に進む。
【０１７５】
（ステップＳ３１７）ＬＯＧ映像購入処理部１５２は、ＬＯＧ映像購入指示受信部１４５が受信したＬＯＧ映像購入指示が有するＬＯＧ映像識別子で識別されるＬＯＧ映像の購入処理を行う。なお、ＬＯＧ映像購入処理については、前述したので繰り返さない。
【０１７６】
（ステップＳ３１８）ＬＯＧ映像送信部１３４は、ＬＯＧ映像購入指示受信部１４５が受信したＬＯＧ映像購入指示が有するＬＯＧ映像識別子で識別されるＬＯＧ映像をＬＯＧ映像格納部１１４から取得する。そして、ＬＯＧ映像送信部１３４は、取得したＬＯＧ映像を、ＬＯＧ映像購入指示受信部１４５がＬＯＧ映像購入指示と対に受信した端末識別子で識別される利用者端末２に送信する。その後、ステップＳ３０１に戻る。
【０１７７】
（ステップＳ３１９）処理部１５は、ＬＵＴファイル購入指示受信部１４６がＬＵＴファイル購入指示を受信したか否かを判別する。ＬＵＴファイル購入指示受信部１４６がＬＵＴファイル購入指示を受信した場合はステップＳ３２０に進み、受信していない場合はステップＳ３０１に戻る。
【０１７８】
（ステップＳ３２０）ＬＵＴファイル購入処理部１５３は、ＬＵＴファイル購入指示受信部１４６が受信したＬＵＴファイル購入指示が有するＬＵＴファイル識別子で識別されるＬＵＴファイルの購入処理を行う。なお、ＬＵＴファイル購入処理については、前述したので繰り返さない。
【０１７９】
（ステップＳ３２１）ＬＵＴファイル送信部１３３は、ＬＵＴファイル購入指示受信部１４６が受信したＬＵＴファイル購入指示が有するＬＵＴファイル識別子で識別されるＬＵＴファイルをＬＵＴファイル格納部１１３から取得する。そして、取得したＬＵＴファイルを、ＬＵＴファイル購入指示受信部１４６がＬＵＴファイル購入指示と対に受信した端末識別子で識別される利用者端末２に送信する。その後、ステップＳ３０１に戻る。
【０１８０】
なお、図３のフローチャートにおいて、サーバ装置１の電源オンやプログラムの起動に応じて処理が開始し、電源オフや処理終了の割り込みにより処理は終了する。ただし、処理の開始または終了のトリガは問わない。
【０１８１】
図４は、利用者端末２の動作を説明するフローチャートである。
【０１８２】
（ステップＳ４０１）利用者処理部２３は、利用者受付部２２がＬＯＧ映像およびＬＵＴファイルの組の選択を受け付けたか否かを判別する。利用者受付部２２がＬＯＧ映像およびＬＵＴファイルの組の選択を受け付けた場合はステップＳ４０２に進み、受け付けていない場合はステップＳ４０１に戻る。
【０１８３】
（ステップＳ４０２）利用者送信部２４は、選択されたＬＯＧ映像に対応するプロキシ映像の送信要求をサーバ装置１に送信する。
【０１８４】
（ステップＳ４０３）利用者処理部２３は、利用者受信部２５がプロキシ映像を受信したか否かを判別する。利用者受信部２５がプロキシ映像を受信した場合はステップＳ４０４に進み、受信していない場合はステップＳ４０３に戻る。
【０１８５】
（ステップＳ４０４）利用者出力部２６は、利用者受信部２５が受信したプロキシ映像を出力する。
【０１８６】
これによって、ディスプレイにプロキシ映像が表示され、利用者は、プロキシ映像を参照して、ＬＯＧ映像およびＬＵＴファイルの組、またはその組いずれか一種類の情報の要否を判断できる。利用者は、映像の詳細を確認したければ、オリジナル静止画群の送信要求を入力すればよい。オリジナル静止画群送信要求は、通常、ＬＯＧ映像識別子を有するが、ＬＯＧ映像識別子に代えてオリジナル静止画群識別子を有していてもよいし、ＬＯＧ映像識別子またはオリジナル静止画群識別子と、地点情報とを有していても構わない。
【０１８７】
（ステップＳ４０５）利用者処理部２３は、利用者受付部２２がオリジナル静止画群の送信要求を受け付けたか否かを判別する。利用者受信部２５がオリジナル静止画群送信要求を受け付けた場合はステップＳ４０６に進み、受け付けていない場合はステップＳ４０９に進む。
【０１８８】
（ステップＳ４０６）利用者送信部２４は、オリジナル静止画群の送信要求をサーバ装置１に送信する。
【０１８９】
（ステップＳ４０７）利用者処理部２３は、利用者受信部２５がオリジナル静止画群を受信したか否かを判別する。利用者受信部２５は、オリジナル静止画群識別子で識別されるオリジナル静止画群を受信してもよいし、地点情報に対応するオリジナル静止画群を受信してもよい。利用者受信部２５がオリジナル静止画群を受信した場合はステップＳ４０８に進み、受信していない場合はステップＳ４０７に戻る。
【０１９０】
（ステップＳ４０８）利用者受信部２５が受信したオリジナル静止画群を出力する。これによって、ディスプレイにオリジナル静止画群が、例えば、コマ送りやスライドショー等の態様で表示され、利用者は、かかるオリジナル静止画群も参照して、ＬＯＧ映像およびＬＵＴファイルの組、またはその組いずれか一種類の情報の要否を判断できる。その後、ステップＳ４０５に戻る。
【０１９１】
（ステップＳ４０９）利用者処理部２３は、利用者受付部２２が一地点の指定を受け付けたか否かを判別する。利用者受付部２２が一地点の指定を受け付けた場合はステップＳ４１０に進み、受け付けていない場合はステップＳ４１３に進む。
【０１９２】
（ステップＳ４１０）利用者送信部２４は、当該一地点を示す地点情報を構成し、サーバ装置１に送信する。
【０１９３】
（ステップＳ４１１）利用者処理部２３は、利用者受信部２５がオリジナル静止画を受信したか否かを判別する。利用者受信部２５がオリジナル静止画を受信した場合はステップＳ４１２に進み、受信していない場合はステップＳ４１１に戻る。
【０１９４】
（ステップＳ４１２）利用者出力部２６は、当該オリジナル静止画を出力する。これによって、ディスプレイに、利用者によって指定されたオリジナル静止画が表示され、利用者は、そのオリジナル静止画も参照して、ＬＯＧ映像およびＬＵＴファイルの組、またはその組いずれか一種類の情報の要否を判断できる。その後、ステップＳ４０５に戻る。
【０１９５】
（ステップＳ４０１３）利用者処理部２３は、利用者受付部２２がＬＯＧ映像の購入指示を受け付けたか否かを判別する。利用者受付部２２がＬＯＧ映像の購入指示を受け付けた場合はステップＳ４１４に進み、受け付けていない場合はステップＳ４１７に進む。
【０１９６】
（ステップＳ４１４）利用者送信部２４は、ＬＯＧ映像購入指示をサーバ装置１に送信する。
【０１９７】
（ステップＳ４１５）利用者処理部２３は、利用者受信部２５がＬＯＧ映像を受信したか否かを判別する。利用者受信部２５がＬＯＧ映像を受信した場合はステップＳ４１６に進み、受信していない場合はステップＳ４１５に戻る。
【０１９８】
（ステップＳ４１６）利用者処理部２３は、利用者受信部２５が受信したＬＯＧ映像を利用者格納部２１に蓄積する。その後、ステップＳ４０５に戻る。
【０１９９】
（ステップＳ４１７）利用者処理部２３は、利用者受付部２２がＬＵＴファイルの購入指示を受け付けたか否かを判別する。利用者受付部２２がＬＵＴファイルの購入指示を受け付けた場合はステップＳ４１８に進み、受け付けていない場合はステップＳ４２１に進む。
【０２００】
（ステップＳ４１８）利用者送信部２４は、ＬＵＴファイル購入指示をサーバ装置１に送信する。
【０２０１】
（ステップＳ４１９）利用者処理部２３は、利用者受信部２５がＬＵＴファイルを受信したか否かを判別する。利用者受信部２５がＬＵＴファイルを受信した場合はステップＳ４２０に進み、受信していない場合はステップＳ４１９に戻る。
【０２０２】
（ステップＳ４２０）利用者処理部２３は、利用者受信部２５が受信したＬＵＴファイルを利用者格納部２１に蓄積する。その後、ステップＳ４０５に戻る。
【０２０３】
（ステップＳ４２１）利用者処理部２３は、利用者受付部２２がキャンセル操作を受け付けたか否かを判別する。利用者受付部２２がキャンセル操作を受け付けた場合はステップＳ４０１に戻り、受け付けていない場合はステップＳ４０５に戻る。
【０２０４】
なお、図４のフローチャートでは省略しているが、利用者出力部２６は、例えば、利用者受付部２２がＬＯＧ映像出力指示を受け付けた場合に、利用者格納部２１からＬＯＧ映像およびこれに対応するＬＵＴファイルを取得し、当該ＬＯＧ映像に当該ＬＵＴファイルを適用し、適用済みのＬＯＧ映像を出力してもよい。これによって、ディスプレイに、当該ＬＯＧ映像が、本来の色彩で表示される。
【０２０５】
なお、図４のフローチャートにおいて、提供者端末３の電源オンやプログラムの起動に応じて処理が開始し、電源オフや処理終了の割り込みにより処理は終了する。ただし、処理の開始または終了のトリガは問わない。
【０２０６】
図５は、提供者端末３の動作を説明するフローチャートである。
【０２０７】
（ステップＳ５０１）提供者処理部３３は、提供者受付部３２がアップロード登録指示を受け付けたか否かを判別する。提供者受付部３２がアップロード登録指示を受け付けた場合はステップＳ５０２に進み、受け付けていない場合はステップＳ５０６に進む。
【０２０８】
（ステップＳ５０２）提供者処理部３３は、提供者受付部３２が受け付けたアップロード登録指示が有するＬＯＧ映像識別子で識別されるＬＯＧ映像から、プロキシ映像を抽出する。
【０２０９】
（ステップＳ５０３）提供者送信部３４は、提供者処理部３３抽出したプロキシ映像をサーバ装置１に送信する。
【０２１０】
（ステップＳ５０４）提供者処理部３３は、提供者受付部３２が受け付けたアップロード登録指示が有するＬＯＧ映像識別子で識別されるＬＯＧ映像から、オリジナル静止画群を抽出する。
【０２１１】
（ステップＳ５０５）提供者送信部３４は、提供者処理部３３が抽出したオリジナル静止画群をサーバ装置１に送信する。その後、ステップＳ５０１に戻る。
【０２１２】
（ステップＳ５０６）提供者処理部３３は、提供者受付部３２がＬＵＴファイル送信指示を受け付けか否かを判別する。提供者受付部３２がＬＵＴファイル送信指示場合はステップＳ５０７に進み、受け付けていない場合はステップＳ５０８に進む。
【０２１３】
（ステップＳ５０７）提供者送信部３４は、提供者受付部３２が受け付けたＬＵＴファイル送信指示が有するＬＵＴファイル識別子で識別されるＬＵＴファイルをサーバ装置１に送信する。その後、ステップＳ５０１に戻る。
【０２１４】
（ステップＳ５０８）提供者処理部３３は、例えば、ＬＯＧ映像送信タイミング情報を用いて、ＬＯＧ映像を送信するか否かを判断する。ＬＯＧ映像を送信する場合はステップＳ５０９に進み、送信しない場合はステップＳ５０１に戻る。
【０２１５】
（ステップＳ５０９）提供者送信部３４は、提供者受付部３２が受け付けたアップロード登録指示が有するＬＯＧ映像識別子で識別されるＬＯＧ映像をサーバ装置１に送信する。その後、ステップＳ５０１に戻る。
【０２１６】
なお、図５のフローチャートにおいて、利用者端末２の電源オンやプログラムの起動に応じて処理が開始し、電源オフや処理終了の割り込みにより処理は終了する。ただし、処理の開始または終了のトリガは問わない。
【０２１７】
以下、本実施の形態における映像管理システムの具体的な動作例について説明する。なお、以下の説明は、種々の変更が可能であり、本発明を何ら限定するものではない。また、既出の事項に関する説明は、省略または簡略化している。
【０２１８】
本例の映像管理システムの概念図は、図１である。一の利用者端末２の利用者格納部２１には、端末識別子を兼ねた利用識別子“ＸＸ”が格納されている。この利用者端末２を、以下では、利用者ＸＸの利用者端末２と記す場合がある。また、一の提供者端末３の提供者格納部３１には、端末識別子を兼ねた提供者識別子“ＹＹ”が格納されている。この提供者端末３を、以下では、提供者ＹＹの提供者端末３と記す場合がある。さらに、別の提供者端末３の提供者格納部３１には、端末識別子を兼ねた提供者識別子“ＺＺ”が格納されている。この提供者端末３を、以下では、提供者ＺＺの提供者端末３と記す場合がある。
【０２１９】
サーバ装置１のＬＯＧ映像格納部１１４には、２以上のＬＯＧ映像ＡＡＡ，ＢＢＢ等が格納されている。また、プロキシ映像格納部１１１には、ＬＯＧ映像ＡＡＡ，ＢＢＢ等から抽出された２以上のプロキシ映像ｐｐｐ，ｑｑｑ等が格納されている。また、オリジナル静止画群格納部１１２には、ＬＯＧ映像ＡＡＡ，ＢＢＢ等から抽出された２以上のオリジナル静止画群ｓｓｓ，ｔｔｔ等が格納されている。さらに、ＬＵＴファイル格納部１１３には、２以上のＬＯＧ映像ＡＡＡ，ＢＢＢ等に対応する２以上のＬＵＴファイルｘｘｘ，ｙｙｙ等が格納されている。
【０２２０】
格納部１１には、例えば、図６に示すようなプロキシ映像管理情報、図７に示すようなオリジナル静止画群管理情報、図８に示すようなＬＵＴファイル管理情報、および図９に示すようなＬＯＧ映像管理情報が格納されている。
【０２２１】
図６は、プロキシ映像管理情報のデータ構造図である。プロキシ映像管理情報は、プロキシ映像識別子、提供者識別子、およびＬＯＧ映像識別子を有する。２以上のプロキシ映像管理情報は、ＩＤ“１”，“２”等に対応付いている。例えば、ＩＤ“１”に対応付いたプロキシ映像管理情報（以下、プロキシ映像管理情報１と記す場合がある）は、プロキシ映像識別子“ｐｐｐ”、提供者識別子“ＹＹ”、およびＬＯＧ映像識別子“ＡＡＡ”を有する。また、ＩＤ“２”に対応付いたプロキシ映像管理情報（プロキシ映像管理情報２）は、プロキシ映像識別子“ｑｑｑ”、提供者識別子“ＺＺ”、およびＬＯＧ映像識別子“ＢＢＢ”を有する。
【０２２２】
図７は、オリジナル静止画群管理情報のデータ構造図である。オリジナル静止画群管理情報は、オリジナル静止画群識別子、提供者識別子、ＬＯＧ映像識別子、およびフレーム識別子群を有する。２以上のオリジナル静止画群管理情報もまた、ＩＤ“１”，“２”等に対応付いている。例えば、ＩＤ“１”に対応付いたオリジナル静止画群管理情報（オリジナル静止画群管理情報１）は、オリジナル静止画群識別子“ｓｓｓ”、提供者識別子“ＹＹ”、ＬＯＧ映像識別子“ＡＡＡ”、およびフレーム識別子群“１，３０１，６０１，…”を有する。なお、フレーム識別子“１”等は、フレーム番号である。また、オリジナル静止画群管理情報２は、オリジナル静止画群識別子“ｔｔｔ”、提供者識別子“ＺＺ”、ＬＯＧ映像識別子“ＢＢＢ”、およびフレーム識別子群“０：００：０１，０：０１：３０，…”を有する。なお、フレーム識別子“０：００：０１”等は、タイムスタンプである。
【０２２３】
図８は、ＬＵＴファイル管理情報のデータ構造図である。ＬＵＴファイル管理情報は、ＬＵＴファイル識別子、提供者識別子、ＬＯＧ映像識別子、および価格情報を有する。例えば、ＬＵＴファイル管理情報１は、ＬＵＴファイル識別子“ｘｘｘ”、提供者識別子“ＹＹ”、ＬＯＧ映像識別子、および価格情報“１００円”を有する。また、ＬＵＴファイル管理情報２は、ＬＵＴファイル識別子“ｙｙｙ”、提供者識別子“ＺＺ”、価格情報“２００円”を有する。
【０２２４】
図９は、ＬＯＧ映像管理情報のデータ構造図である。ＬＯＧ映像管理情報は、ＬＯＧ映像識別子、提供者識別子、および価格情報を有する。例えば、ＬＯＧ映像管理情報１は、ＬＯＧ映像識別子“ＡＡＡ”、提供者識別子“ＹＹ”、および価格情報“１００円（チャプタ１：５００円，チャプタ２，３：各３００円）”を有する。また、ＬＯＧ映像管理情報２は、ＬＯＧ映像識別子“ＢＢＢ”、提供者識別子“ＺＺ”、および価格情報“２０００円（１ＧＢ当たり５００円）”を有する。
【０２２５】
また、格納部１１には、各種の画面構成情報も格納されている。各種の画面構成情報とは、例えば、購入画面構成情報、アップロード画面構成情報などである。購入画面構成情報とは、後述する購入画面を構成するための情報である。アップロード画面構成情報とは、後述するアップロード画面を構成するための情報である。いずれの画面構成情報も、例えば、各種のボタンやダイアログボックス等の画像データ、ボタン等に対応付いた文字列のテキストデータ、それらのデータの画面内における配置を示すレイアウト情報などを有する。なお、購入画面構成情報は、利用者格納部２１にも格納されていてよく、アップロード画面構成情報は、提供者格納部３１にも格納されていてよい。
【０２２６】
サーバ装置１において、処理部１５は、格納部１１に格納されているＬＯＧ映像管理情報およびＬＵＴファイル管理情報を用いて、第二対応情報を取得する。この第二対応情報は、ＬＯＧ映像識別子“ＡＡＡ”とＬＵＴファイル識別子“ｘｘｘ”との対、ＬＯＧ映像識別子“ＢＢＢ”とＬＵＴファイル識別子“ｙｙｙ”との対などで構成されている。
【０２２７】
利用者ＸＸの利用者端末２（以下、単に利用者端末２と記す場合がある）がサーバ装置１に接続されると、送信部１３は、取得された第二対応情報と、格納部１１に格納されている購入画面構成情報とを利用者端末２に送信する。
【０２２８】
利用者端末２において、利用者受付部２２が上記第二対応情報および購入画面情報を受信し、利用者出力部２６は、受信された第二対応情報および購入画面情報を用いて購入画面を構成し、ディスプレイに出力する。これによって、ディスプレイには、図１０に示すような購入画面が表示される。この購入画面は、ダイアログ１００１と、対応表１００２と、ウィンドウ１００３と、時間軸１００４と、ポインタ１００５と、“静止画表示”ボタン１００６と、“購入”ボタン１００７と、“キャンセル”ボタン００８とを有する。
【０２２９】
ダイアログ１００１は、文字列“ＬＯＧ映像とＬＵＴファイルの組を選択してください。”を含む。対応表１００２は、上記第二対応情報に対応する表であり、その第１行に一対の文字列“ＬＯＧ映像”および“ＬＵＴファイル”が記載され、その第２行に一対の文字列“ＡＡＡ”および“ｘｘｘ”が記載され、その第３行に一対の文字列“ＢＢＢ”および“ｙｙｙ”が記載されている。なお、本例では、各ＬＯＧ映像に専用のＬＵＴファイルを識別する識別子が記載されているが、これに加えて、またはこれに代えて、汎用のＬＵＴファイルを識別する識別子が記載されていてもよい。
【０２３０】
ウィンドウ１００３には、選択されたＬＯＧ映像に対応するプロキシ映像であり、選択されたＬＵＴファイルを提供済みであるプロキシ映像が表示される。時間軸１００４は、選択されたＬＯＧ映像の始点から終点に至る時間を表現する軸である。時間軸１００４には、選択されたＬＯＧ映像を構成する２以上の部分（例えば、チャプタ１、チャプタ２等）に対応する２以上の時間枠１００９が配列される。各時間枠１００９には、当該２以上の部分を識別する部分識別子に対応する文字列“チャプタ１”，“チャプタ２”が記される。
【０２３１】
ポインタ１００５は、時間軸１００４上の一地点を指し示すポインタであり、プロキシ映像の再生に連れて、時間軸１００４の左端から右端へと移動する。“静止画表示”ボタン１００６は、選択されたＬＯＧ映像に対応するオリジナル静止画群を表示させるためのボタンである。“購入”ボタン１００７は、現在選択されているＬＯＧ映像およびＬＵＴファイルの組、またはそのいずれか一方を購入するためのボタンである。“キャンセル”ボタン１００８は、現在の選択を解除するためのボタンである。
【０２３２】
いま、利用者ＸＸは、利用者端末２のタッチパネル等を介して、購入画面内の対応表１００２の第２行に記載の一対の文字列“ＡＡＡ”および“ｘｘｘ”を選択したとする。
【０２３３】
利用者端末２において、利用者受付部２２がかかる選択を受け付けると、利用者送信部２４は、選択されたＬＯＧ映像ＡＡＡに対応するプロキシ映像ｐｐｐの送信要求を、利用者識別子“ＡＡ”と対に、サーバ装置１に送信する。このプロキシ映像送信要求は、プロキシ映像識別子“ｐｐｐ”およびＬＵＴファイル識別子“ｘｘｘ”を有する。
【０２３４】
サーバ装置１において、受信部１４が上記プロキシ映像送信要求を受信し、プロキシ映像送信部１３１は、受信されたプロキシ映像送信要求が有するプロキシ映像識別子“ｐｐｐ”で識別されるプロキシ映像ｐｐｐをプロキシ映像格納部１１１から取得し、取得したプロキシ映像を、プロキシ映像送信要求と対に受信されユーザ識別子“ＡＡ”で識別される利用者端末２に送信する。その際、プロキシ映像送信部１３１は、受信されたプロキシ映像送信要求が有するＬＵＴファイル識別子“ｘｘｘ”で識別されるＬＵＴファイルをＬＵＴファイル格納部１１３から取得し、取得したＬＵＴファイルをそのプロキシ映像ｐｐｐに適用し、適用済みのプロキシ映像ｐｐｐを送信する。
【０２３５】
利用者端末２において、利用者受信部２５がプロキシ映像を受信し、利用者出力部２６は、受信されたプロキシ映像をディスプレイに出力する。これによって、ディスプレイのウィンドウ１００３にプロキシ映像ｐｐｐが表示され、利用者ＡＡは、現在選択中のＬＯＧ映像ＡＡＡの低解像度版であるプロキシの映像ｐｐｐを参照して、現在選択中のＬＯＧ映像ＡＡＡおよびＬＵＴファイルｘｘｘの組、またはその組いずれか一種類の情報の要否を判断できる。
【０２３６】
利用者ＸＸは、現在選択中のＬＯＧ映像ＡＡＡの詳細を本来の解像度で確認したければ、“静止画表示”ボタン１００６を押せばよい。これにより、ＬＯＧ映像識別子“ＡＡＡ”を有するオリジナル静止画群送信要求が入力される。または、利用者ＸＸは、プロキシの映像ｐｐｐを見ながら、ポインタ１００５を動かすことで、詳細を確認したい一地点を示す地点情報を入力することも可能である。この地点情報もまた、ＬＯＧ映像識別子“ＡＡＡ”を有する。
【０２３７】
利用者受付部２２がオリジナル静止画群送信要求または地点情報を受け付け、利用者送信部２４は、受け付けられたオリジナル静止画群送信要求または地点情報をサーバ装置１に送信する。
【０２３８】
サーバ装置１において、受信部１４が上記オリジナル静止画群送信要求を受信した場合、オリジナル静止画群取得部１５１は、受信されたオリジナル静止画群送信要求が有するＬＯＧ映像識別子“ＡＡＡ”に対応するオリジナル静止画群識別子“ｓｓｓ”で識別されるオリジナル静止画群ｓｓｓをオリジナル静止画群格納部１１２から取得する。そして、オリジナル静止画群送信部１３２は、取得されたオリジナル静止画群ｓｓｓを、オリジナル静止画群送信要求と対に受信された利用者識別子“ＸＸ”で識別される利用者端末２に送信する。
【０２３９】
または、受信部１４が上記地点情報を受信した場合、オリジナル静止画群取得部１５１は、当該地点情報に対応するオリジナル静止画をオリジナル静止画群格納部１１２に格納されているオリジナル静止画群ｓｓｓまたはＬＯＧ映像格納部１１４に格納されているＬＯＧ映像ＡＡＡから取得し、オリジナル静止画群送信部１３２は、取得されたオリジナル静止画を当該利用者端末２に送信してもよい。対応するオリジナル静止画
【０２４０】
例えば、上記地点情報がフレーム番号“１”を有する場合、オリジナル静止画群取得部１５１は、オリジナル静止画群管理情報１を用いて、当該フレーム番号“１”に一致するフレーム識別子“１”で識別されるオリジナル静止画をオリジナル静止画群ｓｓｓから取得してもよい。
【０２４１】
また、例えば、上記地点情報がフレーム番号“３００”を有する場合、オリジナル静止画群取得部１５１は、オリジナル静止画群管理情報１を用いて、当該フレーム番号“３００”に最も近いフレーム識別子“３０１”で識別されるオリジナル静止画をオリジナル静止画群ｓｓｓから取得してもよい。なお、ＬＯＧ映像格納部１１４にＬＯＧ映像ＡＡＡが格納されていれば、オリジナル静止画群取得部１５１は、当該フレーム番号“３００”に対応するオリジナル静止画をＬＯＧ映像ＡＡＡから取得することは好適である。
【０２４２】
また、例えば、フレーム番号“５００”を有する地点情報が受信された場合、オリジナル静止画群取得部１５１は、オリジナル静止画群管理情報１を用いて、当該フレーム番号“３００”よりも後のフレームであり、当該フレーム番号“３００”に最も近いフレーム識別子“６０１”で識別されるオリジナル静止画をオリジナル静止画群ｓｓｓから取得してもよい。なお、この場合も、ＬＯＧ映像格納部１１４にＬＯＧ映像ＡＡＡが格納されていれば、オリジナル静止画群取得部１５１は、当該フレーム番号“５００”に対応するオリジナル静止画をＬＯＧ映像ＡＡＡから取得することは好適である。
【０２４３】
なお、例えば、ＬＯＧ映像識別子“ＢＢＢ”およびタイムスタンプ“０：００：１０”を有する地点情報が受信された場合、オリジナル静止画群取得部１５１は、オリジナル静止画群管理情報２を用いて、当該タイムスタンプ“０：００：１０”に最も近いタイムスタンプ“０：００：０１”で識別されるオリジナル静止画をオリジナル静止画群ｔｔｔから取得してもよい。また、この場合も、ＬＯＧ映像格納部１１４にＬＯＧ映像ＢＢＢが格納されていれば、オリジナル静止画群取得部１５１は、当該タイムスタンプ“０：００：１０”で識別されるオリジナル静止画をＬＯＧ映像ＢＢＢから取得することは好適である。
【０２４４】
なお、例えば、ＬＯＧ映像識別子“ＢＢＢ”およびタイムスタンプ“０：０１：２５”を有する地点情報が受信された場合、オリジナル静止画群取得部１５１は、オリジナル静止画群管理情報２を用いて、当該タイムスタンプ“０：０１：２５”よりも後の不レムであり、当該タイムスタンプ“０：０１：２５”に最も近いタイムスタンプ“０：０１：３０”で識別されるオリジナル静止画をオリジナル静止画群ｔｔｔから取得してもよい。また、この場合も、ＬＯＧ映像格納部１１４にＬＯＧ映像ＢＢＢが格納されていれば、オリジナル静止画群取得部１５１は、当該タイムスタンプ“０：０１：２５”で識別されるオリジナル静止画をＬＯＧ映像ＢＢＢから取得することは好適である。
【０２４５】
また、オリジナル静止画群送信部１３２は、こうしてオリジナル静止画群ｓｓｓまたはそこから取得されたオリジナル静止画を送信する際に、例えば、ＬＵＴファイル管理情報１を用いて、当該オリジナル静止画群識別子“ｓｓｓ”に対応するＬＵＴファイル識別子“ｘｘｘ”で識別されるＬＵＴファイルｘｘｘをＬＵＴファイル格納部１１３から取得し、取得したＬＵＴファイルｘｘｘをそのオリジナル静止画群ｓｓｓに適用し、適用済みのオリジナル静止画群ｓｓｓを送信することは好適である。
【０２４６】
なお、オリジナル静止画群送信部１３２は、オリジナル静止画群ｔｔｔまたはそこから取得されたオリジナル静止画を送信する際に、例えば、ＬＵＴファイル管理情報２を用いて、当該オリジナル静止画群識別子“ｔｔｔ”に対応するＬＵＴファイル識別子“ｙｙｙ”で識別されるＬＵＴファイルｙｙｙをＬＵＴファイル格納部１１３から取得し、取得したＬＵＴファイルｙｙｙをそのオリジナル静止画群ｔｔｔに適用し、適用済みのオリジナル静止画群ｔｔｔを送信することは好適である。
【０２４７】
利用者端末２において、利用者受信部２５が上記オリジナル静止画群ｓｓｓを受信し、利用者出力部２６は、受信されたオリジナル静止画群ｓｓｓを出力する。これによって、ディスプレイにオリジナル静止画群ｓｓｓが、例えば、コマ送りやスライドショーの態様で表示され、利用者は、オリジナル静止画群ｓｓｓも参照して、現在選択中のＬＯＧ映像ＡＡＡおよびＬＵＴファイルｘｘｘの組、またはその組いずれか一種類の情報の要否を判断できる。
【０２４８】
利用者ＸＸは、現在選択中のＬＯＧ映像ＡＡＡおよびＬＵＴファイルｘｘｘの組を購入したければ、“購入”ボタン１００７を押せばよい。これにより、ＬＯＧ映像識別子“ＡＡＡ”を有するＬＯＧ映像購入指示、およびＬＵＴファイル識別子“ｘｘｘ”を有するＬＵＴファイル購入指示が入力される。なお、いずれか一方だけを購入したければ、他方の選択を解除して、購入ボタン１００７を押せばよい。
【０２４９】
利用者受付部２２が上記ＬＵＴファイル購入指示を受け付け、利用者送信部２４は、受け付けられたＬＵＴファイル購入指示をサーバ装置１に送信する。また、利用者受付部２２が上記ＬＯＧ映像購入指示を受け付け、利用者送信部２４は、受け付けられたＬＯＧ映像購入指示をサーバ装置１に送信する。
【０２５０】
サーバ装置１において、ＬＯＧ映像購入指示受信部１４５が上記ＬＯＧ映像購入指示を受信し、ＬＯＧ映像購入処理部１５２は、受信されたＬＯＧ映像購入指示が有するＬＯＧ映像識別子“ＡＡＡ”で識別されるＬＯＧ映像ＡＡＡの購入処理を行う。
【０２５１】
詳しくは、ＬＯＧ映像購入処理部１５２は、ＬＯＧファイル管理情報１を用いて、ＬＯＧ映像ＡＡＡの価格情報“１０００円（チャプタ１：５００円，…）”を取得し、利用者ＸＸに対して当該価格情報が示す代金１０００円を課金する課金情報を取得し、提供者ＹＹに対して当該代金１０００円を支払う支払情報を取得する。なお、チャプタ１のみの購入処理では、利用者ＸＸに対してチャプタ１の代金５００円を課金する課金情報が取得され、提供者ＹＹに対して当該代金５００円を支払う支払情報が取得される。
【０２５２】
また、ＬＵＴファイル購入指示受信部１４６が上記ＬＵＴファイル購入指示を受信し、ＬＵＴファイル購入処理部１５３は、受信されたＬＵＴファイル購入指示が有するＬＵＴファイル識別子“ｘｘｘ”で識別されるＬＵＴファイルｘｘｘの購入処理を行う。
【０２５３】
詳しくは、ＬＵＴファイル購入処理部１５３は、ＬＵＴファイル管理情報１を用いて、ＬＵＴファイルｘｘｘの価格情報“１００円”を取得し、利用者ＸＸに対する課金情報の金額を、上記金額１０００円に当該価格情報が示す代金１００円を加算した１１００円に更新する。また、ＬＵＴファイル購入処理部１５３は、提供者ＹＹに対しする支払情報の示す金額を、上記金額１０００円に当該代金１００円を加算した１１００円に更新する。
【０２５４】
さらに、ＬＯＧ映像購入処理部１５２またはＬＵＴファイル購入処理部１５３は、システム使用料情報を用いて、ＬＯＧ映像ＡＡＡおよびＬＵＴファイルｘｘｘのセット購入に対するシステム使用料１２０円を取得し、上記課金情報の金額を、１１００円に１２０円を加算した１２２０円に更新し、上記支払情報の金額を、１１００円から１２０円を減算した９８０円に更新する。
【０２５５】
送信部１３は、こうして取得された課金情報を利用者ＸＸの利用者端末２に送信し、取得された支払情報を提供者ＹＹの提供者端末３に送信する。
【０２５６】
これに応じて、受信部１４が、利用者端末２から利用者ＸＸのクレジットカード情報を受信すると、ＬＯＧ映像購入処理部１５２またはＬＵＴファイル購入処理部１５３は、受信されたクレジットカード情報を用いて、上記代金のカード決済を行う。ＬＯＧ映像送信部１３４は、ＬＯＧ映像ＡＡＡをＬＯＧ映像格納部１１４から取得し、利用者端末２に送信する。ＬＵＴファイル送信部１３３は、ＬＵＴファイルｘｘｘをＬＵＴファイル格納部１１３から取得し、利用者端末２に送信する。
【０２５７】
受信部１４が、提供者端末３から提供者ＹＹの口座情報を受信し、かつ上記決済が完了すると、ＬＯＧ映像購入処理部１５２またはＬＵＴファイル購入処理部１５３は、提供者ＹＹの口座への振り込みを行う。
【０２５８】
なお、利用者端末２において、例えば、ＬＯＧ映像ＢＢＢが選択中であり、上記オリジナル静止画群ｔｔｔが受信された場合の動作は、以下のようになる。ディスプレイにオリジナル静止画群ｔｔｔが表示され、利用者ＸＸが“購入”ボタン１００７を押すと、ＬＯＧ映像識別子“ＢＢＢ”を有するＬＯＧ映像購入指示がサーバ装置１に送信される。
【０２５９】
サーバ装置１において、上記ＬＯＧ映像購入指示が受信され、ＬＯＧ映像購入処理部１５２は、そのＬＯＧ映像購入指示が有するＬＯＧ映像識別子“ＢＢＢ”で識別されるＬＯＧ映像ＢＢＢの購入処理を行う。詳しくは、ＬＯＧ映像購入処理部１５２は、ＬＯＧファイル管理情報２を用いて、ＬＯＧ映像ＢＢＢの価格情報“２０００円（１ＧＢ当たり５００円）”を取得し、利用者ＸＸに対して当該価格情報が示す代金２０００円を課金する課金情報を取得し、提供者ＺＺに対して当該代金２０００円を支払う支払情報を取得する。なお、ＬＯＧ映像ＢＢＢの一部分のみの購入であり、当該一部分のデータ量が例えば２ＧＢである場合、利用者ＸＸに対して当該一部分の代金１０００円（２ＧＢ×５００円／ＧＢ）を課金する課金情報が取得され、提供者ＺＺに対して当該代金１０００円を支払う支払情報が取得される。
【０２６０】
さらに、ＬＯＧ映像購入処理部１５２は、システム使用料情報を用いて、ＬＯＧ映像ＢＢＢの購入に対するシステム使用料１００円を取得し、上記課金情報の金額を、２０００円に１００円を加算した２１００円に更新し、上記支払情報の金額を、２０００円から１００円を減算した１９００円に更新する。
【０２６１】
送信部１３は、こうして取得された課金情報を利用者ＸＸの利用者端末２に送信し、取得された支払情報を提供者ＺＺの提供者端末３に送信する。これに応じて、利用者ＸＸのクレジットカード情報が受信されると、ＬＯＧ映像購入処理部１５２は、上記代金のカード決済を行い、ＬＯＧ映像送信部１３４は、ＬＯＧ映像ＢＢＢを利用者端末２に送信する。提供者ＺＺの口座情報が受信され、かつ上記決済が完了すると、ＬＯＧ映像購入処理部１５２は、提供者ＺＺの口座への振り込みを行う。
【０２６２】
なお、提供者ＹＹが、別のＬＯＧ映像ＣＣＣのアップロードを行う場合の動作は、例えば、以下のようになる。
【０２６３】
サーバ装置１との通信の結果、提供者ＹＹの提供者端末３のディスプレイには、図１１に示すようなアップロード画面が表示される。このアップロード画面は、第一のダイアログ１１０１と、第二のダイアログ１１０２と、対応表１１０３と、“送信する”ボタン１１０４と、“キャンセル”ボタン１１０５とを有する。この対応表１１０３は、図１０に示した対応表１００２と同様の構成を有するが、第２行以下の内容が異なっている。この対応表１１０３の第２行には、一対の文字列“ＢＢＢ”および“ｙｙｙ”が記載され、第３行には、一対の文字列“ＣＣＣ”および“ｚｚｚ”が記載されている。
【０２６４】
第一のダイアログ１１０１は、上記対応表１１０３中の文字列“ＬＯＧ映像”に対応付いており、文字列“アップロード登録するＬＯＧ映像を選択してください。”を含む。第二のダイアログ１１０２は、上記対応表１１０３中の文字列“ＬＵＴファイル”に対応付いており、文字列“アップロード登録したＬＯＧ映像に対応するＬＵＴファイルも送信しますか？”を含む。“送信する”ボタン１１０４は、アップロード登録されているＬＯＧ映像と一緒に、これ対応するＬＵＴファイルをもアップロードするためのボタンである。“キャンセル”ボタン１１０５は、現在の選択を解除するためのボタンである。
【０２６５】
提供者ＹＹが、タッチパネル等を介して、対応表１１０３中の文字列“ＣＣＣ”を選択することで、ＬＯＧ映像識別子“ＣＣＣ”を有するアップロード登録指示が入力される。
【０２６６】
提供者端末３において、提供者受付部３２が上記アップロード登録指示を受け付け、提供者処理部３３は、受け付けられたアップロード登録指示が有するＬＯＧ映像識別子“ＣＣＣ”で識別されるＬＯＧ映像ＣＣＣからプロキシ映像ｒｒｒを抽出する。提供者送信部３４は、抽出されたプロキシ映像をサーバ装置１に送信する。また、提供者処理部３３は、当該ＬＯＧ映像ＣＣＣから、オリジナル静止画群ｕｕｕを抽出する。提供者送信部３４は、抽出されたオリジナル静止画群ｕｕｕをサーバ装置１に送信する。
【０２６７】
サーバ装置１において、プロキシ映像受信部１４１がプロキシ映像ｒｒｒを受信し、処理部１５は、受信されたプロキシ映像ｒｒｒをプロキシ映像格納部１１１に蓄積する。また、オリジナル静止画群受信部１４２がオリジナル静止画群ｕｕｕを受信し、処理部１５は、受信されたオリジナル静止画群ｕｕｕをオリジナル静止画群格納部１１２に蓄積する。
【０２６８】
引き続き、提供者ＹＹが“送信する”ボタン１１０４を押下することで、ＬＵＴファイル識別子“ｚｚｚ”を有するＬＵＴファイル送信指示が入力される。
【０２６９】
利用者端末２において、提供者受付部３２が上記ＬＵＴファイル送信指示を受け付け、提供者送信部３４は、受け付けられたＬＵＴファイル送信指示が有するＬＵＴファイル識別子“ｚｚｚ”で識別されるＬＵＴファイルｚｚｚをサーバ装置１に送信する。
【０２７０】
サーバ装置１において、ＬＵＴファイル受信部１４３がＬＵＴファイルｚｚｚを受信し、処理部１５は、受信されたＬＵＴファイルｚｚｚをＬＵＴファイル格納部１１３に蓄積する。
【０２７１】
利用者端末２において、提供者処理部３３は、ＬＯＧ映像送信タイミング情報を用いて、ＬＯＧ映像を送信するか否かの判断を繰り返し行っている。ＬＯＧ映像を送信すると判断された場合、提供者送信部３４は、上記のようにアップロード登録されたＬＯＧ映像ＣＣＣをサーバ装置１に送信する。
【０２７２】
サーバ装置１において、ＬＯＧ映像受信部１４４がＬＯＧ映像ＣＣＣを受信し、処理部１５は、受信されたＬＯＧ映像ＣＣＣをＬＯＧ映像格納部１１４に蓄積する。
【０２７３】
こうして、提供者ＹＹから提供され、ＬＯＧ映像格納部１１４に格納されたＬＯＧ映像ＣＣＣ、およびＬＵＴファイル格納部１１３に格納されたＬＵＴファイルｚｚｚは、利用者ＸＸらによって利用される。
【０２７４】
以上、本実施の形態によれば、記録媒体は、ＬＯＧ映像を用いて取得された映像であり、ＬＯＧ映像より低画質の映像であるプロキシ映像が格納されるプロキシ映像格納部１１１と、ＬＯＧ映像から抽出された１または２以上の静止画であるオリジナル静止画群が格納されるオリジナル静止画群格納部１１２とを具備し、サーバ装置１は、プロキシ映像を利用者の端末である利用者端末２に送信し、オリジナル静止画群を利用者端末２に送信することにより、ダウンロードの負荷を軽減しながら、利用者が、プロキシ映像を用いたＬＯＧ映像の概要把握と、オリジナル静止画群を用いたＬＯＧ映像の細部確認とを行える。
【０２７５】
また、記録媒体は、ＬＯＧ映像に対応するＬＵＴファイルが格納されるＬＵＴファイル格納部１１３をさらに具備し、サーバ装置１は、ＬＵＴファイルを利用者端末２に送信することにより、利用者端末２において、ＬＯＧ映像に対応するＬＵＴファイルを用いたリニア映像への変換が行えるので、ＬＯＧ映像の概要把握および詳細確認を本来の色彩で行える。
【０２７６】
また、サーバ装置１は、プロキシ映像の一地点の指定を受け付け、オリジナル静止画群のうち一地点に予め決められた条件を満たすほど近いオリジナル静止画を送信することにより、利用者が、プロキシ映像中の所望の地点に対応する又はそれに近いオリジナル静止画を用いて細部確認を行える。
【０２７７】
また、サーバ装置１は、プロキシ映像を提供者の端末である提供者端末３から受信し、オリジナル静止画群を提供者端末３から受信することにより、利用者が、提供者端末３から受信したプロキシ映像および静止画群を用いて、ＬＯＧ映像の概要把握および詳細確認を行える。
【０２７８】
また、サーバ装置１は、ＬＯＧ映像を提供者端末３から受信することにより、利用者が、提供者端末３から受信したＬＯＧ映像を利用できる。
【０２７９】
また、サーバ装置１は、ＬＯＧ映像の購入の指示であるＬＯＧ映像購入指示を利用者端末２から受信し、ＬＯＧ映像購入指示に応じてＬＯＧ映像の購入のための処理を行うことにより、利用者が、ＬＯＧ映像を購入できる。
【０２８０】
また、サーバ装置１は、ＬＵＴファイルの購入の指示であるＬＵＴファイル購入指示を受信し、ＬＵＴファイル購入指示に応じてＬＵＴファイルの購入のための処理を行うことにより、利用者が、ＬＵＴファイルも購入できる。
【０２８１】
また、サーバ装置１は、ＬＯＧ映像の一部分の購入の指示である部分購入指示を受信し、部分購入指示に応じて一部分の購入のための処理を行うことにより、利用者が、ＬＯＧ映像の一部分を購入できる。
【０２８２】
また、購入のための処理は、利用者または提供者の少なくとも一方に対する課金処理を含むことにより、サーバ装置１は、提供者または利用者の少なくとも一方に課金できる。
【０２８３】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置を実現するソフトウェアは、例えば、以下のようなプログラムである。
【０２８４】
つまり、コンピュータがアクセス可能な記録媒体は、ＬＯＧ映像を用いて取得された映像であり、ＬＯＧ映像より低画質の映像であるプロキシ映像が格納されるプロキシ映像格納部１１１と、前記ＬＯＧ映像から抽出された１または２以上の静止画であるオリジナル静止画群が格納されるオリジナル静止画群格納部１１２とを具備し、このプログラムは、前記コンピュータを、前記プロキシ映像を利用者の端末である利用者端末２に送信するプロキシ映像送信部１３１と、前記オリジナル静止画群を前記利用者端末２に送信するオリジナル静止画群送信部１３２として機能させるためのプログラムである。
【０２８５】
図１２は、本実施の形態におけるプログラムを実行して、サーバ装置１、利用者端末２、または提供者端末３を実現するコンピュータシステム９００の外観図である。本実施の形態は、コンピュータハードウェアおよびその上で実行されるコンピュータプログラムによって実現され得る。図１２において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２８６】
図１３は、コンピュータシステム９００の内部構成の一例を示す図である。図１３において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２８７】
コンピュータシステム９００に、サーバ装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２８８】
プログラムは、コンピュータの詳細を示す９０１に、サーバ装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２８９】
なお、上述したコンピュータシステム９００は、サーバまたは据え置き型のＰＣであるが、利用者端末２や提供者端末３は、例えば、タブレット端末やスマートフォンやノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。ただし、以上は例示であり、サーバ装置１等を実現するコンピュータのハードウェア構成は問わない。
【０２９０】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２９１】
また、上記プログラムを実行するコンピュータは、単数であってもよく、複数であってもよい。すなわち、集中処理を行ってもよく、あるいは分散処理を行ってもよい。
【０２９２】
また、上記各実施の形態において、一の装置に存在する２以上の通信手段（送信部１３、受信部１４など）は、物理的に一の媒体で実現されてもよいことは言うまでもない。
【０２９３】
また、上記各実施の形態において、各処理（各機能）は、単一の装置（システム）によって集中処理されることによって実現されてもよく、あるいは、複数の装置によって分散処理されることによって実現されてもよい。
【０２９４】
本発明は、以上の実施の形態に限定されることなく、種々の変更が可能であり、それらも本発明の範囲内に包含されるものであることは言うまでもない。
【産業上の利用可能性】
【０２９５】
以上のように、本発明にかかるサーバ装置は、ダウンロードの負荷を軽減しながら、利用者が、プロキシ映像を用いたＬＯＧ映像の概要把握と、オリジナル静止画群を用いたＬＯＧ映像の細部確認とを行えるという効果を有し、サーバ装置等として有用である。
【符号の説明】
【０２９６】
１  サーバ装置
２  利用者端末
３  提供者端末
１１  格納部
１２  受付部
１３  送信部
１４  受信部
１５  処理部
１６  出力部
２１  利用者格納部
２２  利用者受付部
２３  利用者処理部
２４  利用者送信部
２５  利用者受信部
２６  利用者出力部
３１  提供者格納部
３２  提供者受付部
３３  提供者処理部
３４  提供者送信部
３５  提供者受信部
３６  提供者出力部
１１１  プロキシ映像格納部
１１２  オリジナル静止画群格納部
１１３  ＬＵＴファイル格納部
１１４  ＬＯＧ映像格納部
１３１  プロキシ映像送信部
１３２  オリジナル静止画群送信部
１３３  ＬＵＴファイル送信部
１３４  ＬＯＧ映像送信部
１４１  プロキシ映像受信部
１４２  オリジナル静止画群受信部
１４３  ＬＵＴファイル受信部
１４４  ＬＯＧ映像受信部
１４５  ＬＯＧ映像購入指示受信部
１４６  ＬＵＴファイル購入指示受信部
１５１  オリジナル静止画群取得部
１５２  ＬＯＧ映像購入処理部
１５３  ＬＵＴファイル購入処理部
【図１】
2018148475.tif 000003
【図２】
2018148475.tif 000004
【図３】
2018148475.tif 000005
【図４】
2018148475.tif 000006
【図５】
2018148475.tif 000007
【図６】
2018148475.tif 000008
【図７】
2018148475.tif 000009
【図８】
2018148475.tif 000010
【図９】
2018148475.tif 000011
【図１０】
2018148475.tif 000012
【図１１】
2018148475.tif 000013
【図１２】
2018148475.tif 000014
【図１３】
2018148475.tif 000015